(57)【特許請求の範囲】
【請求項１】
装置本体と、
前記装置本体内に収容され、ベルトと、前記ベルトを支持するベルトフレームとを有するベルトユニットと、
前記装置本体内に位置する内側位置と、前記装置本体外に位置する外側位置との間を移動するように構成される支持体と、
前記支持体に支持され、第１方向に並列配置される複数のドラムユニットと
を備え、
前記複数のドラムユニットのそれぞれは、
前記第１方向と直交する第２方向に沿って延びる感光ドラムであって、前記複数のドラムユニットを支持する前記支持体が前記内側位置に位置する状態で、前記第１方向と前記第２方向との両方と直交する第３方向において前記ベルトに接触する感光ドラムと、
前記感光ドラムを支持するドラムフレームと
を備え、
前記複数のドラムフレームのそれぞれは、
前記第２方向における前記ドラムフレームの端部に位置するドラム側壁であって、前記第３方向に貫通する貫通穴を有するドラム側壁を備え、
前記ベルトフレームは、
前記第２方向における前記ベルトフレームの端部に位置するベルト側壁であって、前記ベルトフレームに対して前記複数のドラムフレームの位置を決める突出部であって、前記第３方向に延びる突出部であり、前記複数のドラムユニットを支持する前記支持体が前記内側位置に位置する状態で、前記第３方向において前記貫通穴に嵌まる突出部を有するベルト側壁を備えていることを特徴とする、画像形成装置。
【請求項２】
前記ドラム側壁は、
前記第３方向における前記ドラム側壁の一端部から前記第２方向に延びる板であって、前記貫通穴を有する板と、
前記第３方向における前記ドラム側壁の一端部から前記第３方向に延びる把持部と
を有することを特徴とする、請求項１に記載の画像形成装置。
【請求項３】
前記突出部は、前記複数のドラムユニットを支持する前記支持体が前記内側位置に位置する状態で、前記複数のドラムフレームに向かって突出することを特徴とする、請求項２に記載の画像形成装置。
【請求項４】
前記突出部は、断面略矩形であり、
前記貫通穴は、略矩形であることを特徴とする、請求項３に記載の画像形成装置。
【請求項５】
前記貫通穴は、前記複数のドラムユニットを支持する前記支持体が内側位置に位置した状態で、前記ベルトよりも前記第２方向の外方に位置していることを特徴とする、請求項１〜４のいずれか一項に記載の画像形成装置。
【請求項６】
前記複数のドラムユニットは、前記支持体に対して着脱可能であることを特徴とする、請求項１〜５のいずれか一項に記載の画像形成装置。
【請求項７】
前記ドラムフレームは、前記第２方向の少なくとも一端部において、ドラム把持部を備えており、
前記貫通穴は、前記ドラム把持部よりも前記第２方向の内方に位置していることを特徴とする、請求項６に記載の画像形成装置。
【請求項８】
前記ドラム把持部は、前記複数のドラムユニットを支持する前記支持体が前記内側位置に位置した状態で、前記第２方向から見たときに、前記ベルトと重なっていることを特徴とする、請求項７に記載の画像形成装置。
【請求項９】
前記複数のドラムユニットは、前記複数のドラムユニットを支持する前記支持体が内側位置に位置した状態で、前記ベルトの下方に配置されていることを特徴とする、請求項６〜８のいずれか一項に記載の画像形成装置。
【請求項１０】
前記支持体は、対応する前記感光ドラムの下方に配置され、前記感光ドラムを露光するように構成される複数の露光部材を備えていることを特徴とする、請求項１〜９のいずれか一項に記載の画像形成装置。
【請求項１１】
前記ベルトユニットは、複数の前記感光ドラムのそれぞれに対応する複数の転写ローラを備え、
複数の前記転写ローラは、前記ベルトフレームに対して、相対移動するように構成されていることを特徴とする、請求項１〜１０のいずれか一項に記載の画像形成装置。
【請求項１２】
前記第１方向において、互いに隣り合う前記ドラムフレーム間の寸法は、０．５ｍｍ以上、８ｍｍ以下であることを特徴とする、請求項１〜１１のいずれか一項に記載の画像形成装置。
【発明の詳細な説明】
【技術分野】
【０００１】
本発明は、電子写真方式が採用される画像形成装置に関する。
【背景技術】
【０００２】
画像形成装置として、複数の感光ドラムと、複数の感光ドラムからトナー像が転写される中間転写ベルトとを備える中間転写型のカラープリンタが知られている。
【０００３】
このようなカラープリンタとして、本体ケーシングと、感光ドラムを支持する複数のプロセスカートリッジと、本体ケーシング内に位置する内側位置と、本体ケーシング外に位置する外側位置とに移動するように構成され、複数のプロセスカートリッジを支持するプロセスユニットとを備えるカラープリンタが知られている（例えば、特許文献１参照）。
【０００４】
そして、このようなプロセスユニットでは、内部位置において複数の感光ドラムを上方に付勢することによって、中間転写ベルトに対して下方から接触させている。
【先行技術文献】
【特許文献】
【０００５】
【特許文献１】特開２０１３−００７９４８号公報
【発明の概要】
【発明が解決しようとする課題】
【０００６】
しかるに、上記した特許文献１に記載のカラープリンタでは、複数の感光ドラムのそれぞれは、上方に向かって付勢され、本体ケーシングの内側ケーシングのドラム位置決め溝に受け入れられることによって、位置決めされている。つまり、複数の感光ドラムは、本体ケーシングに対して位置決めされているため、中間転写ベルトに対する複数の感光ドラムの位置精度の向上が図れないという不具合がある。
【０００７】
そこで、本発明の目的は、ベルトに対して、感光ドラムを精度良く位置決めすることのできる画像形成装置を提供することにある。
【課題を解決するための手段】
【０００８】
（１）本発明の画像形成装置は、装置本体と、装置本体内に収容され、ベルトと、ベルトを支持するベルトフレームとを有するベルトユニットと、装置本体内に位置する内側位置と、装置本体外に位置する外側位置との間を移動するように構成される支持体と、支持体に支持され、第１方向に並列配置される複数のドラムユニットとを備え、複数のドラムユニットのそれぞれは、第１方向と直交する第２方向に沿って延びる感光ドラムと、感光ドラムを支持するドラムフレームとを備え、複数のドラムフレームのそれぞれは、係合部を備え、ベルトフレームは、複数のドラムフレームのそれぞれの係合部と係合して、ベルトフレームに対して複数のドラムフレームの位置を決める位置決め部を備えている。
【０００９】
このような構成によれば、複数の感光ドラムが第１方向に沿って並列配置されるように、支持体に支持されている。
【００１０】
そして、支持体が内側位置に位置するときに、ベルトを支持するベルトフレームの位置決め部に対して、感光ドラムを支持する複数のドラムフレームのそれぞれの係合部を係合することで、ベルトフレームに対して複数のドラムフレームを位置決めすることができる。
【００１１】
その結果、ベルトに対して、複数の感光ドラムを精度良く位置決めすることができる。
（２）また、係合部、および、位置決め部のいずれか一方は、凸形状を有しており、係合部、および、位置決め部のいずれか他方は、凹形状を有していてもよい。
【００１２】
このような構成によれば、簡易な構成により、係合部と位置決め部とを係合することができる。
（３）また、位置決め部は、複数のドラムフレームに向かって突出する凸形状を有しており、係合部は、位置決め部と係合可能な凹形状を有していてもよい。
【００１３】
このような構成によれば、係合部が凹形状を有していることにより、ドラムフレームを支持する支持体が外側位置に位置するときに、係合部と外部の部材とが干渉することを抑制することができる。
【００１４】
また、凸形状を有する位置決め部が装置本体内に収容されるベルトユニットのベルトフレームに設けられていることにより、位置決め部と外部の部材とが干渉することを抑制することができる。
（４）また、位置決め部は、断面略矩形の凸形状を有しており、係合部は、断面略矩形の凹形状を有していてもよい。
【００１５】
このような構成によれば、位置決め部と係合部とが断面略矩形状であることにより、位置決め部の周面と、係合部の内面とを確実に接触させることができる。
【００１６】
そのため、ベルトフレームに対して、複数のドラムフレームを確実に位置決めすることができる。
（５）また、係合部は、支持体が内側位置に位置した状態で、ベルトよりも第２方向の外方に位置していてもよい。
【００１７】
このような構成によれば、ベルトよりも第２方向の外方において、ベルトの駆動を阻害することなく、ベルトフレームの位置決め部に対して複数のドラムフレームのそれぞれの係合部を係合して、ベルトフレームに対して複数のドラムフレームを位置決めすることができる。
（６）また、複数のドラムユニットは、支持体に対して着脱可能であってもよい。
【００１８】
このような構成によれば、複数のドラムユニットをベルトフレームに対して位置決めすることができるので、ドラムユニットが支持体に対して着脱可能でありながら、ベルトに対して、複数の感光ドラムを精度良く位置決めすることができる。
（７）また、ドラムフレームは、第２方向の少なくとも一端部において、ドラム把持部を備えており、係合部は、ドラム把持部よりも第２方向の内方に位置していてもよい。
【００１９】
このような構成によれば、ドラム把持部によって、係合部を保護することができる。
【００２０】
その結果、係合部と位置決め部とを精度良く係合することができる。
（８）また、ドラム把持部は、支持体が内側位置に位置した状態で、第２方向から見たときに、ベルトと重なっていてもよい。
【００２１】
このような構成によれば、ドラムユニットは、ドラム把持部を備えながら、装置本体内においては、第２方向から見てベルトと重なるように位置されるので、装置本体が大型化することを抑制することができる。
（９）また、複数のドラムユニットは、支持体が内側位置に位置した状態で、ベルトの下方に配置されていてもよい。
【００２２】
このような構成によれば、ドラムフレームの係合部を、ベルトフレームの位置決め部に対して、下方から係合させ、感光ドラムをベルトに対して下方から接触させることができる。
（１０）また、支持体は、対応する感光ドラムの下方に配置され、感光ドラムを露光するように構成される複数の露光部材を備えていてもよい。
【００２３】
このような構成によれば、露光部材によって、対応する感光ドラムを露光することができる。
【００２４】
そのため、ひとつの露光部材によって複数の感光ドラムを露光する場合と比較して、精度よく感光ドラムの表面を露光することができる。
（１１）また、ベルトユニットは、複数の感光ドラムのそれぞれに対応する複数の転写ローラを備え、複数の転写ローラは、ベルトフレームに対して、相対移動するように構成されていてもよい。
【００２５】
このような構成によれば、感光ドラムが、転写ローラに対してではなく、ベルトに対して位置決めされている。
【００２６】
そのため、転写ローラをベルトフレームに対して相対移動するように支持しながら、画像形成を実行することができる。
（１２）また、第１方向において、互いに隣り合うドラムフレーム間の寸法は、０．５ｍｍ以上、８ｍｍ以下であってもよい。
【００２７】
このような構成によれば、複数の感光ドラム間のピッチを小さくすることができるので、画像形成装置の小型化を図ることができる。
【００２８】
また、複数のドラムフレームがベルトフレームに対して位置決めされるので、複数の感光ドラム間のピッチを一定に保持することができ、精度良く画像形成することができる。
【発明の効果】
【００２９】
本発明の画像形成装置では、ベルトに対して、感光ドラムを精度良く位置決めすることができる。
【図面の簡単な説明】
【００３０】
【図１】図１は、本発明の画像形成装置の第１実施形態のプリンタを示す中央断面図である。
【図２】図２は、図１に示すプロセスフレーム、現像カートリッジ、および、ドラムカートリッジを前右方から見た斜視図である。
【図３】図３は、図１に示すプロセスフレームに、４つの現像カートリッジが装着された状態を示す斜視図である。
【図４】図４Ａは、図３に示すＬＥＤユニットおよびカバーユニットの部分拡大図であって、カバー部が被覆位置に位置した状態を示す。図４Ｂは、図４Ａに示すＬＥＤユニットおよびカバーユニットの側断面図である。
【図５】図５Ａは、図３に示すＬＥＤユニットおよびカバーユニットの部分拡大図であって、カバー部が被覆位置と露出位置との間を移動する途中の状態を示す。図５Ｂは、図５Ａに示すＬＥＤユニットおよびカバーユニットの側断面図である。
【図６】図６Ａは、図３に示すＬＥＤユニットおよびカバーユニットの部分拡大図であって、カバー部が露出位置に位置した状態を示す。図６Ｂは、図６Ａに示すＬＥＤユニットおよびカバーユニットの側断面図である。
【図７】図７Ａは、図１に示すドラムカートリッジを前上方から見た斜視図である。図７Ｂは、図１に示すドラムカートリッジを前下方から見た斜視図である。
【図８】図８は、図１に示すプロセスユニットの平面図である。
【図９】図９は、図２に示す現像カートリッジの揺動部の動作を説明するための説明図である。
【図１０】図１０は、図１に示すベルトユニットを後下方から見た分解斜視図である。
【図１１】図１１は、図１に示すベルトユニットを前下方から見た斜視図である。
【図１２】図１２は、図１に示すプリンタにおいて、プロセスユニットよりも左方における断面をとった側断面図であって、フロントカバーが閉鎖位置に位置し、プロセスフレームが内側位置に位置した状態を示す。
【図１３】図１３は、図１に示すプリンタの内部において、ベルトユニットとプロセスフレームとの位置決め状態を示す側断面図である。
【図１４】図１４は、図１に示すプリンタにおいて、プロセスユニットよりも左方における断面をとった側断面図であって、フロントカバーが開放位置に位置し、プロセスフレームが内側位置に位置した状態を示す。
【図１５】図１５は、図１に示すプリンタにおいて、プロセスユニットよりも左方における断面をとった側断面図であって、フロントカバーが開放位置に位置し、プロセスフレームが外側位置に位置した状態を示す。
【図１６】図１６Ａは、図３に示すカバーユニットの動作を説明するための説明図であって、ドラムカートリッジの突出部が付勢部に当接することによって、カバーユニットのカバー部が露出位置に位置した状態を示す。図１６Ｂは、図１６Ａに引き続き、カバーユニットの動作を説明するための説明図であって、ドラムカートリッジの突出部が付勢部から離間することによって、カバーユニットのカバー部が被覆位置に位置した状態を示す。
【図１７】図１７Ａは、図２に示す現像カートリッジの現像把持部の動作を説明するための説明図であって、揺動部が収容位置に位置した状態を示す。図１７Ｂは、図１７Ａに引き続き、現像カートリッジの現像把持部の動作を説明するための説明図であって、揺動部が突出位置に位置した状態を示す。
【図１８】図１８は、図２に示すプロセスフレーム、現像カートリッジ、および、ドラムカートリッジの正面図である。
【図１９】図１９は、図１に示すプリンタにおいて、ドラムカートリッジ、および、現像カートリッジの着脱動作を説明するための説明図である。
【図２０】図２０は、図１９に示す２つ重なったドラムカートリッジの側断面図である。
【図２１】図２１Ａは、本発明の第２実施形態において、現像カートリッジの現像スライド把持部の動作を説明するための説明図であって、スライド部が収容位置に位置した状態を示す。図２１Ｂは、図２１Ａに引き続き、現像カートリッジの現像スライド把持部の動作を説明するための説明図であって、スライド部が突出位置に位置した状態を示す。
【図２２】図２２は、本発明の第３実施形態であって、プロセスフレームに装着された状態のドラムカートリッジと現像カートリッジとの側面図である。
【図２３】図２３Ａは、本発明の第４実施形態において、プロセスカートリッジの着脱を説明するための説明図であって、フロントカバー７が開放位置に位置し、４つのプロセスカートリッジがプロセスカートリッジ収容部に装着された状態を示す。図２３Ｂは、図２３Ａに引き続き、プロセスカートリッジの着脱を説明するための説明図であって、フロントカバー７が開放位置に位置し、４つのプロセスカートリッジの内の１つがプロセスカートリッジ収容部から離脱された状態を示す。
【発明を実施するための形態】
【００３１】
１．プリンタの全体構成
図１に示すように、画像形成装置の一例としてのプリンタ１は、横置きタイプの中間転写型カラープリンタである。プリンタ１は、装置本体の一例としての本体ケーシング２内に、用紙Ｐを給紙するための給紙部３と、用紙Ｐに画像を形成するための画像形成部４と、画像が形成された用紙Ｐを排紙するための排紙部５とを備えている。
【００３２】
なお、以下の説明において、プリンタ１に関し、方向について言及する場合には、プリンタ１を水平方向に載置した状態を基準とする。すなわち、図１の紙面上方が上方であり、紙面下方が下方である。また、図１の紙面右方が前方であり、図１に紙面左方が後方である。また、プリンタ１を前方から見たときを左右の基準とする。すなわち、図１の紙面手前が左方であり、紙面奥が右方である。なお、前後方向が第１方向の一例であり、左右方向が第２方向の一例である。また、前方が第１方向の一方の一例であり、後方が第１方向の他方の一例である。また、左方が第２方向の一方の一例であり、右方が第２方向の他方の一例である。
（１）本体ケーシング
本体ケーシング２は、略ボックス形状を有している。本体ケーシング２は、本体開口部６と、フロントカバー７とを備えている。
【００３３】
本体開口部６は、本体ケーシング２の前壁を前後方向に貫通している。
【００３４】
フロントカバー７は、後述するプロセスフレーム５２を本体ケーシング２の内外にスライド移動させるために、その下端部を支点として、図１および図１２に示すように、本体開口部６を閉鎖する閉鎖位置と、図１４および図１５に示すように本体開口部６を開放する開放位置との間を揺動可能である。
（２）給紙部
給紙部３は、図１に示すように、給紙トレイ８と、ピックアップローラ９と、給紙ローラ１０と、給紙パッド１１と、１対のピンチローラ１２と、１対のレジストローラ１３とを備えている。ピックアップローラ９は、その回転により、給紙トレイ８上の用紙Ｐを、給紙ローラ１０と給紙パッド１１との間に搬送するように構成されている。給紙ローラ１０は、その回転により、用紙Ｐを１枚ずつに捌くとともに、その用紙Ｐが１対のピンチローラ１２間を通過するように、上方の１対のレジストローラ１３間に向けて搬送するように構成されている。１対のレジストローラ１３は、その回転により、用紙Ｐを所定のタイミングで、後述する中間転写ベルト４１と後述する二次転写ローラ３８との間に搬送するように構成されている。
（３）画像形成部
画像形成部４は、プロセスユニット１６と、転写ユニット１７と、定着ユニット１８とを備えている。
（３−１）プロセスユニット
プロセスユニット１６は、本体ケーシング２の上下方向略中央に配置されている。プロセスユニット１６は、複数、すなわち４つのドラムユニットの一例としてのドラムカートリッジ２１と、複数、すなわち４つの現像カートリッジ２２と、複数、すなわち４つの露光部材の一例としてのＬＥＤユニット２３とを備えている。
【００３５】
４つのドラムカートリッジ２１は、それぞれ、プロセスユニット１６の上方部分において、前後方向に互いに間隔を空けて並列配置されている。具体的には、前方から後方に向かって、ブラックドラムカートリッジ２１Ｋ、イエロードラムカートリッジ２１Ｙ、マゼンタドラムカートリッジ２１Ｍ、および、シアンドラムカートリッジ２１Ｃが、順次配列されている。
【００３６】
４つのドラムカートリッジ２１は、それぞれ、感光ドラム２６と、スコロトロン型帯電器２７と、ドラムクリーニングローラ２８とを支持している。
【００３７】
感光ドラム２６は、左右方向に延びる略円筒形状を有している。感光ドラム２６は、左右方向に沿って延びる軸線Ａを中心として回転可能である。
【００３８】
スコロトロン型帯電器２７は、感光ドラム２６の後下方において、感光ドラム２６と間隔を空けて配置されている。
【００３９】
ドラムクリーニングローラ２８は、感光ドラム２６の後方に配置されている。ドラムクリーニングローラ２８は、感光ドラム２６の後端部に接触している。ドラムクリーニングローラ２８は、感光ドラム２６の表面をクリーニングするように構成されている。
【００４０】
４つの現像カートリッジ２２は、それぞれ、プロセスユニット１６の下方部分、かつ、対応する感光ドラム２６の前下方において、前後方向に互いに間隔を空けて並列配置されている。具体的には、前方から後方に向かって、ブラック現像カートリッジ２２Ｋ、イエロー現像カートリッジ２２Ｙ、マゼンタ現像カートリッジ２２Ｍ、および、シアン現像カートリッジ２２Ｃが、順次配列されている。
【００４１】
４つの現像カートリッジ２２は、それぞれ、現像ローラ３０と、供給ローラ３１と、層厚規制ブレード３２と、トナー収容部３３とを備えている。
【００４２】
現像ローラ３０は、現像カートリッジ２２の後上端部に回転可能に支持されている。現像ローラ３０は、左右方向に延びる略円柱形状を有している。現像ローラ３０は、感光ドラム２６の前下端部に接触している。
【００４３】
供給ローラ３１は、現像ローラ３０の前下方において、現像カートリッジ２２に回転可能に支持されている。供給ローラ３１は、左右方向に延びる略円柱形状を有している。供給ローラ３１は、現像ローラ３０の前下端部に接触している。
【００４４】
層厚規制ブレード３２は、現像ローラ３０の下方に配置されている。層厚規制ブレード３２は、現像ローラ３０の下端部に接触している。
【００４５】
トナー収容部３３は、供給ローラ３１および層厚規制ブレード３２の下方に配置されている。トナー収容部３３は、現像剤の一例としてのトナーを収容するように構成されている。
【００４６】
４つのＬＥＤユニット２３は、それぞれ、プロセスユニット１６の下方部分、かつ、対応する感光ドラム２６の下方において、前後方向に互いに間隔を空けて並列配置されている。４つのＬＥＤユニット２３は、それぞれ、所定の画像データに基づいて、対応する感光ドラム２６の表面を露光する。
（３−２）転写ユニット
転写ユニット１７は、本体ケーシング２内の上部において、プロセスユニット１６の上方に配置されている。転写ユニット１７は、ベルトユニット３７と、二次転写ローラ３８とを備えている。
【００４７】
ベルトユニット３７は、すべての感光ドラム２６の上方に位置するように、前後方向に沿って配置されている。ベルトユニット３７は、駆動ローラ３９と、従動ローラ４０と、ベルトの一例としての中間転写ベルト４１と、複数、すなわち４つの一次転写ローラ４２とを備えている。
【００４８】
駆動ローラ３９は、転写ユニット１７の後端部に回転可能に支持されている。
【００４９】
従動ローラ４０は、転写ユニット１７の前端部に回転可能に支持されている。
【００５０】
中間転写ベルト４１は、その下方部分がすべての感光ドラム２６の上端部に対して接触するように、駆動ローラ３９および従動ローラ４０の周りに掛け渡されている。また、中間転写ベルト４１は、駆動ローラ３９の駆動、および、従動ローラ４０の従動により、その下方部分が前方から後方に向かって移動するように、周回移動される。
【００５１】
４つの一次転写ローラ４２は、それぞれ、駆動ローラ３９と従動ローラ４０との間において、４つの感光ドラム２６のそれぞれの上方に、中間転写ベルト４１を介して配置されるように、前後方向に互いに間隔を空けて並列配置されている。一次転写ローラ４２は、中間転写ベルト４１の下方部分に上方から接触している。
【００５２】
二次転写ローラ３８は、ベルトユニット３７の駆動ローラ３９の後方において、中間転写ベルト４１を挟むように配置されている。
（３−３）定着ユニット
定着ユニット１８は、二次転写ローラ３８の前上方に配置されている。定着ユニット１８は、加熱ローラ４４と、加熱ローラ４４の後上端部に対して圧接する加圧ローラ４５とを備えている。
（３−４）画像形成動作
（３−４−１）現像動作
画像形成動作が実施されると、供給ローラ３１は、トナー収容部３３内のトナーを、その回転によって、供給ローラ３１と現像ローラ３０との間で摩擦帯電しながら、現像ローラ３０に供給する。
【００５３】
層厚規制ブレード３２は、現像ローラ３０の回転に伴って、現像ローラ３０に供給されたトナーの厚さを規制する。これにより、現像ローラ３０は、トナーを、一定厚さの薄層として、その表面に担持する。
【００５４】
一方、感光ドラム２６の表面は、感光ドラム２６の回転に伴って、スコロトロン型帯電器２７により一様に正帯電された後、ＬＥＤユニット２３によって所定の画像データに基づいて露光される。これにより、ＬＥＤユニット２３は、画像データに基づく静電潜像を、感光ドラム２６の表面に形成する。そして、現像ローラ３０は、その表面に担持するトナーを、感光ドラム２６の表面上の静電潜像に供給する。これにより、感光ドラム２６は、その表面上にトナー像を担持する。
（３−４−２）転写・定着動作
感光ドラム２６は、その表面に担持するトナー像を、中間転写ベルト４１の下方部分に順次、一次転写する。これにより、感光ドラム２６は、中間転写ベルト４１の表面にカラー画像を形成する。
【００５５】
中間転写ベルト４１は、その表面に形成されたカラー画像を、二次転写ローラ３８との接触位置を通過する間に、給紙部３から供給される用紙Ｐに二次転写する。
【００５６】
そして、定着ユニット１８は、カラー画像が転写された用紙Ｐが加熱ローラ４４と加圧ローラ４５との間を通過する間に、用紙Ｐを加熱および加圧する。このとき、画像が用紙Ｐに熱定着される。
（４）排紙部
排紙部５は、本体ケーシング２の上方において、側断面視略Ｖ字状に窪んでいる。排紙部５は、排出口４７、および、１対の排紙ローラ４８を備えている。
【００５７】
排出口４７は、排紙部５の後端部における前面において、本体ケーシング２の内部と外部とを連通している。
【００５８】
１対の排紙ローラ４８は、排出口４７から排出される用紙Ｐを挟んで案内するように、配置されている。
【００５９】
また、排紙部５の前方の本体ケーシング２の上面は、排紙トレイ４９として画定されている。
【００６０】
そして、排紙ローラ４８は、定着ユニット１８においてトナー像が熱定着された用紙Ｐを、排出口４７を介して、排紙トレイ４９上に排紙する。
２．プロセスユニットの詳細
プロセスユニット１６は、図１および図２に示すように、支持体の一例としてのプロセスフレーム５２を備えている。
【００６１】
プロセスフレーム５２は、図１および図１２に示すように、本体ケーシング２内に位置する内側位置と、図１５に示すように、本体ケーシング２外に位置する外側位置との間を前後方向に移動可能に構成されている。なお、詳しくは後述するが、プロセスフレーム５２は、内側位置において、図１２に示すように、４つの感光ドラム２６と、中間転写ベルト４１とが接触する接触位置と、図１４に示すように、４つの感光ドラム２６と、中間転写ベルト４１とが離間する離間位置との間を移動可能に構成されている。プロセスフレーム５２は、図１および図２に示すように、平面視略矩形の略枠形状を有している。プロセスフレーム５２は、側板の一例としてのプロセス左側壁５３と、側板の一例としてのプロセス右側壁５４と、左支持壁５５と、右支持壁５６と、プロセス前壁５７と、プロセス後壁５８と、プロセス底壁５９とを備えている。
【００６２】
プロセス左側壁５３、および、プロセス右側壁５４は、図２および図３に示すように、左右方向に互いに間隔を空けて配置されている。プロセス左側壁５３、および、プロセス右側壁５４は、前後方向に延びる側面視略矩形の略板状を有している。
【００６３】
左支持壁５５、および、右支持壁５６は、それぞれ、プロセス左側壁５３、および、プロセス右側壁５４の左右方向内方に隣接配置されている。左支持壁５５、および、右支持壁５６は、前後方向に延びる側面視略矩形の略板状を有している。
【００６４】
左支持壁５５は、複数、すなわち４つの膨出部６２と、複数、すなわち４つの第１ドラム係合溝７０と、複数、すなわち４つの第２ドラム係合溝７１とを備えている。
【００６５】
右支持壁５６は、左支持壁５５に対して、第２ドラム係合溝７１を備えておらず、複数、すなわち４つの膨出部６２と、複数、すなわち４つの第１ドラム係合溝７０とを備えている。
【００６６】
４つの膨出部６２は、それぞれ、前後方向に互いに間隔を空けて並列配置されている。膨出部６２は、左支持壁５５、および、右支持壁５６の左右方向内面における下方部分から、左右方向内方に向かって膨出する側面視略矩形の略板状を有している。膨出部６２の上面は、左支持壁５５、および、右支持壁５６の上面よりも下方に位置しており、ドラムカートリッジ２１を載置するためのドラムカートリッジ載置面６６として画定されている。また、膨出部６２は、第１現像係合溝６８と、第２現像係合溝６９とを備えている。
【００６７】
第１現像係合溝６８は、膨出部６２のドラムカートリッジ載置面６６の前端部から下方に向かって、側面視略矩形状に切り欠かれている。
【００６８】
第２現像係合溝６９は、膨出部６２のドラムカートリッジ載置面６６の後方部分から下方に向かって窪む側面視略Ｕ字状の溝である。第２現像係合溝６９の上下方向寸法は、第１現像係合溝６８の上下方向寸法と略同じである。
【００６９】
４つの第１ドラム係合溝７０は、それぞれ、４つの膨出部６２のそれぞれの上方において、前後方向に互いに間隔を空けて並列配置されている。第１ドラム係合溝７０は、左支持壁５５、および、右支持壁５６の上面から下方に向かって窪む側面視略Ｕ字状の溝である。第１ドラム係合溝７０の前端縁は、前後方向において、対応する膨出部６２の第１現像係合溝６８の後端縁と一致している。また、第１ドラム係合溝７０の下端部は、膨出部６２のドラムカートリッジ載置面６６と略面一である。
【００７０】
４つの第２ドラム係合溝７１は、それぞれ、４つの第１ドラム係合溝７０のそれぞれ、および、４つの膨出部６２のそれぞれの後方において、前後方向に互いに間隔を空けて配置されている。第２ドラム係合溝７１は、左支持壁５５の上面から下方に向かって窪む側面視略Ｕ字状の溝である。第２ドラム係合溝７１の上下方向寸法は、第１ドラム係合溝７０の上下方向寸法と略同じである。
【００７１】
プロセス前壁５７は、図２および図８に示すように、プロセス左側壁５３の前端部と、プロセス右側壁５４の前端部との間に架設されている。プロセス前壁５７は、左右方向に延びる正面視略矩形の略板状を有している。プロセス前壁５７の上端部は、プロセス左側壁５３の上端部、および、プロセス右側壁５４の上端部よりも上方まで延びている。プロセス前壁５７は、プロセス屈折部７４と、プロセス把持部７５とを備えている。
【００７２】
プロセス屈折部７４は、プロセス前壁５７の上端縁から、後方に向かって延びる平面視略矩形の略板状を有している。プロセス屈折部７４は、プロセス凹部７６を備えている。
【００７３】
プロセス凹部７６は、プロセス屈折部７４の右方部分において、後端部から前方に向かって平面視略Ｕ字状に窪む凹形状を有している。
【００７４】
プロセス把持部７５は、後方に向かって開放される平面視略Ｕ字状の略角柱形状を有している。プロセス把持部７５の左方の遊端部は、プロセス前壁５７の左方部分に固定されており、プロセス把持部７５の右方の遊端部は、プロセス前壁５７の右方部分に固定されている。
【００７５】
プロセス後壁５８は、図３および図８に示すように、プロセス左側壁５３の後方部分と、プロセス右側壁５４の後方部分との間に架設されている。プロセス後壁５８は、左右方向に延びる正面視略矩形の略板状を有している。
【００７６】
プロセス底壁５９は、図１および図３に示すように、プロセス左側壁５３の下端部と、プロセス右側壁５４の下端部との間に架設されている。プロセス底壁５９の前端部は、プロセス前壁５７の下端部と連続しており、プロセス底壁５９の後端部は、プロセス後壁５８の下端部と連続している。プロセス底壁５９は、上記した４つのＬＥＤユニット２３と、４つのカバーユニット８０とを備えている。
【００７７】
４つのＬＥＤユニット２３は、図１および図２に示すように、それぞれ、４つの膨出部６２のそれぞれの後方であって、左支持壁５５と、右支持壁５６との間に配置されている。ＬＥＤユニット２３は、図４Ａおよび図４Ｂに示すように、ＬＥＤアレイ８２と、ＬＥＤ支持部８３と、胴体部８４とを備えている。
【００７８】
ＬＥＤアレイ８２は、左右方向に延びる略棒形状を有している。ＬＥＤアレイ８２は、左右方向に並列配置される多数のＬＥＤを一体的に保持している。
【００７９】
ＬＥＤ支持部８３は、左右方向に延び、その上方が開放された有底矩形枠形状を有している。ＬＥＤ支持部８３は、その内部に、上記したＬＥＤアレイ８２の上方部分が露出されるように、ＬＥＤアレイ８２を受け入れている。
【００８０】
胴体部８４は、ＬＥＤ支持部８３の下方に配置されている。胴体部８４は、左右方向に延びる正面視略矩形の略板状を有している。胴体部８４の上端部は、ＬＥＤ支持部８３の下端部と連続しており、胴体部８４の下端部は、図１に示すように、プロセス底壁５９に埋設されている。
【００８１】
４つのカバーユニット８０は、図３および図４Ａに示すように、それぞれ、対応するＬＥＤユニット２３のＬＥＤアレイ８２を被覆するように、前後方向に間隔を空けて並列配置されている。カバーユニット８０は、図４Ａおよび図４Ｂに示すように、１対の支柱部８５と、１対の円柱部８６と、１対の付勢部８７と、被覆部材の一例としてのカバー部８８とを備えている。
【００８２】
１対の支柱部８５は、ＬＥＤユニット２３の左右方向両端部において、プロセス底壁５９の上面から上方に向かって胴体部８４の後面に沿って延び、ＬＥＤ支持部８３の上面と向かい合うように前方に屈曲する略角柱形状を有している。詳しくは、支柱部８５は、上下方向に延びる垂直部分８５Ａと、垂直部分８５Ａの上端部から前上方に向かって延びる傾斜部分８５Ｂと、傾斜部分８５Ｂの前上端部から前方に向かって延びる水平部分８５Ｃとから構成されている。また、支柱部８５は、支柱部８５は、第１ガイド溝９０と、第２ガイド溝９１とを備えている。
【００８３】
第１ガイド溝９０は、支柱部８５の垂直部分８５Ａの上方部分において、支柱部８５を左右方向に貫通している。第１ガイド溝９０は、上下方向に延びる側面視略矩形状を有している。
【００８４】
第２ガイド溝９１は、支柱部８５の傾斜部分８５Ｂから水平部分８５Ｃにわたって、支柱部８５を左右方向に貫通している。第２ガイド溝９１は、傾斜部分８５Ｂ、および、水平部分８５Ｃに沿って屈曲する側面視略Ｖ字状を有している。
【００８５】
１対の円柱部８６は、１対の支柱部８５の左右方向外方に隣接配置されている。円柱部８６は、プロセス底壁５９の上面から上方に向かって延びる略円柱形状を有している。円柱部８６の上端部は、第２ガイド溝９１の下端部よりもわずかに下方に位置している。
【００８６】
１対の付勢部８７は、それぞれ、圧縮ばね９２と、ころ９３とを備えている。
【００８７】
圧縮ばね９２は、上下方向に沿って、線材が螺旋状に巻回されるコイル形状を有している。付勢部８７の自然長は、円柱部８６の上下方向寸法よりも大きい。
【００８８】
ころ９３は、圧縮ばね９２の上端部に接続されている。圧縮ばね９２は、左右方向に延びる略円筒形状を有している。
【００８９】
そして、圧縮ばね９２に円柱部８６が挿通されることにより、付勢部８７が円柱部８６に対して組み付けられている。
【００９０】
カバー部８８は、平面視略Ｕ字状を有している。具体的には、カバー部８８は、カバー本体９４と、１対の腕部９５とを一体として備えている。
【００９１】
カバー本体９４は、左右方向に延びる平面視略矩形の略板状を有している。カバー本体９４の前後左右方向寸法は、ＬＥＤアレイ８２の前後左右方向寸法よりもわずかに大きい。
【００９２】
１対の腕部９５は、カバー本体９４の左右方向両端部であって、１対の支柱部８５の左右方向内方に配置されている。腕部９５は、カバー本体９４の左右方向外端部から連続して前後方向に延び、その後端部から後下方に向かって延びた後、下方に向かって屈折する略角柱形状を有している。腕部９５は、第１ガイド軸９６と、第２ガイド軸９７とを備えている。
【００９３】
第１ガイド軸９６は、腕部９５の前上端部における左右方向外面から、左右方向外方に向かって延びる略円柱形状を有している。第１ガイド軸９６の左右方向寸法は、支柱部８５の左右方向寸法よりも小さい。第１ガイド軸９６は、支柱部８５の第２ガイド溝９１に挿通されている。
【００９４】
第２ガイド軸９７は、腕部９５の後下端部の左右方向外面から、左右方向外方に向かって延びる略円柱形状を有している。第２ガイド軸９７の左右方向寸法は、１対の支柱部８５の左右方向寸法よりも大きい。第２ガイド軸９７は、支柱部８５の第１ガイド溝９０に挿通され、その左右方向外端部が付勢部８７のころ９３に挿通されている。
【００９５】
これにより、カバーユニット８０において、カバー部８８の第２ガイド軸９７は、付勢部８７の圧縮ばね９２の付勢力により、上方に付勢されている。
【００９６】
そうすると、第２ガイド軸９７は、第１ガイド溝９０の上端部に位置し、第１ガイド軸９６は、第２ガイド溝９１の前上端部に位置する。このとき、カバー部８８のカバー本体９４が、ＬＥＤアレイ８２に対して上方から向かい合う被覆位置に位置する。
【００９７】
また、図５Ａおよび図５Ｂに示すように、圧縮ばね９２の付勢力に抗して、ころ９３が下方に移動すると、第２ガイド軸９７が第２ガイド溝９１の上下方向略中央に移動し、第１ガイド軸９６が第１ガイド溝９０の前端部よりも後方に移動する。このとき、カバー部８８のカバー本体９４が後方に移動し、ＬＥＤアレイ８２の前方部分が露出される。
【００９８】
さらに、図６Ａおよび図６Ｂに示すように、圧縮ばね９２の付勢力に抗して、ころ９３が下方に移動すると、第２ガイド軸９７が第２ガイド溝９１の下端部に移動し、第１ガイド軸９６が第１ガイド溝９０の前後方向略中央部分まで移動する。このとき、カバー部８８のカバー本体９４がさらに後方に移動し、ＬＥＤアレイ８２を露出させる露出位置に移動する。
【００９９】
つまり、カバーユニット８０において、カバー部８８は、図４Ａおよび図４Ｂに示すように、ＬＥＤアレイ８２を被覆する被覆位置と、図６Ａおよび図６Ｂに示すようにＬＥＤアレイ８２を露出させる露出位置との間を移動可能であって、常には、１対の付勢部８７によって、常には、被覆位置となるように付勢されている。
【０１００】
なお、プロセスフレーム５２において、図１および図２に示すように、４つのドラムカートリッジ収容部１００と、４つの現像カートリッジ収容部１０１とが画定されている。
【０１０１】
４つのドラムカートリッジ収容部１００は、それぞれ、４つの膨出部６２のそれぞれのドラムカートリッジ載置面６６の上方、かつ、側面視における右支持壁５６のそれぞれの第１ドラム係合溝７０から第１ドラム係合溝７０の後方に位置する第２ドラム係合溝７１までの間に画定されている。
【０１０２】
つまり、１つのドラムカートリッジ収容部１００において、第１ドラム係合溝７０が左右１対配置され、第２ドラム係合溝７１が左方に１つ配置されている。１対の第１ドラム係合溝７０が、１対のドラムガイド、および、ガイド部の一例である。第２ドラム係合溝７１が、ガイド部の一例である。
【０１０３】
４つの現像カートリッジ収容部１０１は、それぞれ、４つのＬＥＤユニット２３のそれぞれの前方、かつ、左支持壁５５の４つの膨出部６２のそれぞれと、右支持壁５６の４つの膨出部６２のそれぞれとの間に画定されている。
【０１０４】
つまり、１つの現像カートリッジ収容部１０１において、膨出部６２が左右１対、すなわち、第１現像係合溝６８が左右１対配置され、第２現像係合溝６９が左右１対配置されている。１対の第１現像係合溝６８、および、１対の第２現像係合溝６９が、１対の現像ガイドの一例である。
【０１０５】
また、１対の第１ドラム係合溝７０は、１対の第１現像係合溝６８、および、１対の第２現像係合溝６９よりも左右方向外方に配置されている。
３．ドラムカートリッジの詳細
（１）ドラムカートリッジの構成
ドラムカートリッジ２１は、図１に示すように、ドラムフレーム１０４を備えている。
【０１０６】
なお、ドラムカートリッジ２１は、ブラック、イエロー、マゼンタ、シアンの各色において、ほとんどが同一の構成であり、一部的にその構成が異なっている。そこで、以下の説明において、４つのドラムカートリッジ２１の同一の構成について説明し、４つのドラムカートリッジ２１の差異点についてはその都度説明する。
【０１０７】
ドラムフレーム１０４は、図７Ａおよび図７Ｂに示すように、ドラム左側壁１０５と、ドラム右側壁１０６と、第１連結壁１０７と、第２連結壁１０８と、帯電器支持部１０９とを備えている。
【０１０８】
ドラム左側壁１０５、および、ドラム右側壁１０６は、左右方向に互いに間隔を空けて配置されている。
【０１０９】
ドラム左側壁１０５は、ドラム側壁本体１１２と、ドラム屈折部１１４と、載置部１１５と、第１ドラム係合部１１６と、当接部１１７と、第２ドラム係合部１１８とを備えている。
【０１１０】
ドラム右側壁１０６は、ドラム左側壁１０５に対して、第２ドラム係合部１１８を備えておらず、ドラム側壁本体１１２と、ドラム屈折部１１４と、載置部１１５と、第１ドラム係合部１１６と、当接部１１７とを備えている。
【０１１１】
ドラム側壁本体１１２は、上下前後方向に延びる側面視略矩形の略板状を有している。ドラム側壁本体１１２は、ドラム支持部１２０を備えている。
【０１１２】
ドラム支持部１２０は、ドラム側壁本体１１２の側面視略中央を側面視略円形に貫通し、その周縁部から左右方向外方に向かって延びる略円筒形状を有している。ドラム左側壁１０５のドラム支持部１２０と、ドラム右側壁１０６のドラム支持部１２０とは、感光ドラム２６の左右方向両端部が挿通されることにより、感光ドラム２６を支持している。なお、感光ドラム２６の上端部は、後述する第１連結壁１０７と、第２連結壁１０８との間から露出されており、第１連結壁１０７、および、第２連結壁１０８の上面よりも上方に突出している。
【０１１３】
ドラム屈折部１１４は、ドラム側壁本体１１２の上端縁から、左右方向内方に向かって延びる平面視略矩形の略板状を有している。ドラム屈折部１１４は、係合部の一例としての位置決め穴１２１を備えている。
【０１１４】
位置決め穴１２１は、ドラム屈折部１１４の前後方向略中央部分を、上下方向に貫通している。位置決め穴１２１は、左右方向に長手の断面略矩形状を有している。言い換えると、位置決め穴１２１は、ドラム屈折部１１４の上面から下方に向かって窪む凹形状を有している。
【０１１５】
載置部１１５は、ドラム側壁本体１１２の下端部に配置されている。載置部１１５は、前後方向に延びる略角柱形状を有している。載置部１１５の左右方向寸法は、ドラム側壁本体１１２の左右方向寸法よりも大きい。これにより、載置部１１５は、ドラム側壁本体１１２とともに、正断面視略Ｔ字状をなしている。また、載置部１１５は、受入溝１２２を備えている。
【０１１６】
受入溝１２２は、載置部１１５の下面から上方に向かって底面視略矩形状に窪む溝である。
【０１１７】
第１ドラム係合部１１６は、ドラム側壁本体１１２の前端部から、載置部１１５の前端部にわたって延び、左右方向外方に向かって突出する正面視略矩形の略板状を有している。
【０１１８】
当接部１１７は、第１ドラム係合部１１６の前面から前方に向かって突出する正面視略矩形の略角柱形状を有している。当接部１１７は、面取り部１２４を備えている。
【０１１９】
面取り部１２４は、当接部１１７の左右方向内方における下端部が切り欠かれるように構成されている。
【０１２０】
第２ドラム係合部１１８は、ドラム左側壁１０５の載置部１１５の後端部における左面から左方に向かって突出する略角柱形状を有している。
【０１２１】
なお、イエロードラムカートリッジ２１Ｙ、マゼンタドラムカートリッジ２１Ｍ、および、シアンドラムカートリッジ２１Ｃのドラム左側壁１０５、および、ドラム右側壁１０６は、それぞれ、ドラム把持部１１３を備えており、ブラックドラムカートリッジ２１Ｋは、図１９に示すように、左ブラックドラム把持部１３４と、右ブラックドラム把持部１３５とを備えている。
【０１２２】
ドラム把持部１１３は、図７Ａに示すように、ドラム把持部１１３は、１対の突出部の一例としての把持突出部１２５と、連結部の一例としての把持連結部１２６とを備えている。
【０１２３】
１対の把持突出部１２５は、前後方向に間隔を空けて配置されている。把持突出部１２５は、上下方向に延びる略角柱形状を有している。１対の把持突出部１２５のそれぞれの下端部は、ドラム側壁本体１１２の前上端部、および、後上端部のそれぞれに固定されている。また、１対の把持突出部１２５のそれぞれの上端部は、上方に向かうにつれて、互いに近づくように湾曲している。
【０１２４】
把持連結部１２６は、左右方向に延びる略角柱形状を有し、１対の把持突出部１２５の上端部間を連結している。
【０１２５】
これにより、ドラム把持部１１３は、下方に向かって開放される側面視略Ｕ字状の略角柱形状を有している。また、ドラム把持部１１３の左右方向寸法は、載置部１１５の受入溝１２２の左右方向寸法よりもわずかに小さい。また、ドラム把持部１１３は、位置決め穴１２１よりも左右方向の外方に位置している。
【０１２６】
左ブラックドラム把持部１３４は、図１９に示すように、ドラム把持部１１３と同様に、１対の把持突出部１２５と、把持連結部１２６とを備えており、下方に向かって開放される側面視略Ｕ字状の略角柱形状を有している。また、左ブラックドラム把持部１３４は、平板部１３６を備えている。
【０１２７】
平板部１３６は、左ブラックドラム把持部１３４の把持連結部１２６の前後方向全域にわたって左方に向かって突出する平面視略板状を有している。
【０１２８】
右ブラックドラム把持部１３５は、ドラム把持部１１３と同様に、１対の把持突出部１２５と、把持連結部１２６とを備えており、下方に向かって開放される側面視略Ｕ字状の略角柱形状を有している。なお、右ブラックドラム把持部１３５の上下方向寸法は、ドラム把持部１１３の上下方向寸法よりも小さい。
【０１２９】
第１連結壁１０７は、図７Ａおよび図７Ｂに示すように、ドラム左側壁１０５のドラム側壁本体１１２の上端部と、ドラム右側壁１０６のドラム側壁本体１１２の上端部との間に架設されている。第１連結壁１０７は、前後方向に延び、その前端縁が下方に向かって屈折する側断面視略Ｌ字状の略板状を有している。第１連結壁１０７の上面は、ドラム屈折部１１４の上面よりも下方に位置している。第１連結壁１０７の前面は、ドラム側壁本体１１２の前面と略面一である。第１連結壁１０７は、突条部１２７を備えている。
【０１３０】
突条部１２７は、第１連結壁１０７の左右方向両端部を除く前面から前方に向かって突出している。突条部１２７は、左右方向に延びる略突条を有している。突条部１２７は、ドラム凸部１２８を備えている。
【０１３１】
ドラム凸部１２８は、突条部１２７の前面から前方に向かって突出する断面略矩形の凸形状を有している。
【０１３２】
なお、ドラム凸部１２８は、図８に示すように、４つのドラムカートリッジ２１のそれぞれによって、その左右方向における配置が互いに異なる。具体的には、ブラックドラムカートリッジ２１Ｋのドラム凸部１２８をブラックドラム凸部１２８Ｋ、イエロードラムカートリッジ２１Ｙのドラム凸部１２８をイエロードラム凸部１２８Ｙ、マゼンタドラムカートリッジ２１Ｍのドラム凸部１２８をマゼンタドラム凸部１２８Ｍ、シアンドラムカートリッジ２１Ｃのドラム凸部１２８をシアンドラム凸部１２８Ｃとし、それぞれについて説明する。
【０１３３】
ブラックドラム凸部１２８Ｋは、突条部１２７の右方部分に配置されている。
【０１３４】
イエロードラム凸部１２８Ｙは、突条部１２７の左右方向略中央部分よりもやや右方であって、ブラックドラム凸部１２８Ｋよりも左方に配置されている。
【０１３５】
マゼンタドラム凸部１２８Ｍは、突条部１２７の左右方向略中央部分よりもやや左方であって、イエロードラム凸部１２８Ｙよりも左方に配置されている。
【０１３６】
シアンドラム凸部１２８Ｃは、突条部１２７の左方部分であって、マゼンタドラム凸部１２８Ｍよりも左方に配置されている。
【０１３７】
第２連結壁１０８は、図７Ａおよび図７Ｂに示すように、ドラム左側壁１０５のドラム側壁本体１１２の後上端部と、ドラム右側壁１０６のドラム側壁本体１１２の後上端部との間に架設されている。第２連結壁１０８は、左右方向に延びる略角柱形状を有している。第２連結壁１０８は、ドラム凹部１３０を備えている。
【０１３８】
ドラム凹部１３０は、第２連結壁１０８の後面から前方に向かって、平面視略Ｕ字状に窪む凹形状を有している。
【０１３９】
なお、ドラム凹部１３０は、図８に示すように、４つのドラムカートリッジ２１のそれぞれによって、その左右方向における配置、および、構成が互いに異なる。具体的には、ブラックドラムカートリッジ２１Ｋのドラム凹部１３０をブラックドラム凹部１３０Ｋ、イエロードラムカートリッジ２１Ｙのドラム凹部１３０をイエロードラム凹部１３０Ｙ、マゼンタドラムカートリッジ２１Ｍのドラム凹部１３０をマゼンタドラム凹部１３０Ｍとし、それぞれについて説明する。また、シアンドラムカートリッジ２１Ｃは、ドラム凹部１３０を備えていない。
【０１４０】
ブラックドラム凹部１３０Ｋは、第２連結壁１０８の左右方向略中央部分よりもやや右方に配置されている。
【０１４１】
イエロードラム凹部１３０Ｙは、第２連結壁１０８の左右方向略中央部分よりもやや左方であって、ブラックドラム凹部１３０Ｋよりも左方に配置されている。
【０１４２】
マゼンタドラム凹部１３０Ｍは、第２連結壁１０８の左方部分であって、イエロードラム凹部１３０Ｙよりも左方に配置されている。
【０１４３】
帯電器支持部１０９は、図７Ｂおよび図１６Ｂに示すように、第２連結壁１０８の下方にあって、ドラム左側壁１０５のドラム側壁本体１１２の後下端部と、ドラム右側壁１０６のドラム側壁本体１１２の後下端部との間に架設されている。帯電器支持部１０９は、左右方向に延び、前上方に向かって開放される断面視略Ｕ字状の略枠形状を有している。帯電器支持部１０９は、上記したスコロトロン型帯電器２７を有している。また、帯電器支持部１０９は、１対の延設部１３２を備えている。
【０１４４】
１対の延設部１３２は、帯電器支持部１０９の左右方向両端部に配置されている。延設部１３２は、帯電器支持部１０９の前下面から下方に向かって突出する略角柱形状を有している。
（２）ドラムカートリッジのプロセスフレームに対する装着状態、および、並び順
４つのドラムカートリッジ２１のそれぞれは、図２および図１９に示すように、プロセスフレーム５２の対応するドラムカートリッジ収容部１００に収容されるときには、左方において、第１ドラム係合部１１６が第１ドラム係合溝７０に対して上方から嵌まり、第２ドラム係合部１１８が第２ドラム係合溝７１に対して上方から嵌まっている。また、右方においては、第１ドラム係合部１１６が第１ドラム係合溝７０に対して上方から嵌まっている。
【０１４５】
これにより、左方の載置部１１５が左方の膨出部６２のドラムカートリッジ載置面６６上に載置され、右方の載置部１１５が右方の膨出部６２のドラムカートリッジ載置面６６上に載置されて、ドラムカートリッジ２１がドラムカートリッジ収容部１００に収容されている。
【０１４６】
このとき、図１６Ａに示すように、ドラムカートリッジ２１の延設部１３２は、カバーユニット８０のころ９３の上端部に当接されており、圧縮ばね９２の付勢力に抗して、ころ９３を下方に向けて押圧している。
【０１４７】
これにより、図６Ａおよび図６Ｂに示すように、カバー部８８が露出位置に位置し、ＬＥＤユニット２３と感光ドラム２６とが上下方向に向かい合う。
【０１４８】
そして、４つのドラムカートリッジ２１は、図８に示すように、プロセスフレーム５２の対応するドラムカートリッジ収容部１００に収容されるときには、前後方向における並び順が変更不能に構成されている。
【０１４９】
具体的には、プロセスフレーム５２のプロセス凹部７６と、シアンドラムカートリッジ２１Ｃ以外の３つのドラムカートリッジ２１のそれぞれのドラム凹部１３０とが左右方向において互いに異なる位置に配置されており、４つのドラムカートリッジ２１のそれぞれのドラム凸部１２８が左右方向において互いに異なる位置に配置されている。
【０１５０】
こうして、ブラックドラムカートリッジ２１Ｋは、ブラックドラム凸部１２８Ｋがプロセスフレーム５２のプロセス凹部７６と係合するようにして、最前端のドラムカートリッジ収容部１００に収容されている。
【０１５１】
また、イエロードラムカートリッジ２１Ｙは、イエロードラム凸部１２８Ｙがブラックドラムカートリッジ２１Ｋのブラックドラム凹部１３０Ｋと係合するようにして、前から２番目のドラムカートリッジ収容部１００に収容されている。
【０１５２】
また、マゼンタドラムカートリッジ２１Ｍは、マゼンタドラム凸部１２８Ｍがイエロードラムカートリッジ２１Ｙのイエロードラム凹部１３０Ｙと係合するようにして、後から２番目のドラムカートリッジ収容部１００に収容されている。
【０１５３】
また、シアンドラムカートリッジ２１Ｃは、シアンドラム凸部１２８Ｃがマゼンタドラムカートリッジ２１Ｍのマゼンタドラム凹部１３０Ｍと係合するようにして、最後端のドラムカートリッジ収容部１００に収容されている。
【０１５４】
こうして、４つのドラムカートリッジ２１が前後方向に沿って、実質的な隙間が無いように、並列配置されている。具体的には、前後方向に隣り合うドラムフレーム１０４間の寸法は、例えば、０．５ｍｍ以上、好ましくは、２ｍｍ以上であり、例えば、８ｍｍ以下、好ましくは、５ｍｍ以下である。
【０１５５】
このとき、図１に示すように、ブラックドラムカートリッジ２１Ｋの第１連結壁１０７の上面と、プロセスフレーム５２のプロセス屈折部７４の上面とは、面一となっている。
【０１５６】
また、隣り合うドラムカートリッジ２１の内、前方のドラムカートリッジ２１の第２連結壁１０８と、後方のドラムカートリッジ２１の第１連結壁１０７とは、面一となっている。
【０１５７】
なお、図８に示すように、４つのドラムカートリッジ２１の内、シアンドラムカートリッジ２１Ｃが第１ドラムカートリッジの一例であり、シアンドラムカートリッジ２１Ｃと互いに隣り合うマゼンタドラムカートリッジ２１Ｍが第２ドラムカートリッジの一例であり、マゼンタドラムカートリッジ２１Ｍと隣り合うイエロードラムカートリッジ２１Ｙが第３ドラムカートリッジの一例である。
【０１５８】
また、シアンドラムカートリッジ２１Ｃのシアンドラム凸部１２８Ｃが第１係合部の一例であり、シアンドラム凸部１２８Ｃと係合するマゼンタドラムカートリッジ２１Ｍのマゼンタドラム凹部１３０Ｍが第１被係合部の一例である。
【０１５９】
また、マゼンタドラムカートリッジ２１Ｍのマゼンタドラム凸部１２８Ｍが第２係合部の一例であり、マゼンタドラム凸部１２８Ｍと係合するイエロードラムカートリッジ２１Ｙのイエロードラム凹部１３０Ｙが第２被係合部の一例である。
【０１６０】
そして、マゼンタドラム凸部１２８Ｍ、および、イエロードラム凹部１３０Ｙは、シアンドラム凸部１２８Ｃ、および、マゼンタドラム凹部１３０Ｍと、左右方向における位置が異なっている。
【０１６１】
また、４つのドラムカートリッジ２１の内、プロセスフレーム５２が内側位置から外側位置に向かう方向における最下流、すなわち、最前端のブラックドラムカートリッジ２１Ｋにおけるブラックドラム凸部１２８Ｋが、第３係合部の一例であり、ブラックドラム凸部１２８Ｋと係合するプロセスフレーム５２のプロセス凹部７６が、第３被係合部の一例である。
【０１６２】
そして、ブラックドラム凸部１２８Ｋ、および、プロセス凹部７６は、シアンドラム凸部１２８Ｃ、および、マゼンタドラム凹部１３０Ｍと、左右方向における位置が異なっている。
４．現像カートリッジの詳細
（１）現像カートリッジの構成
現像カートリッジ２２は、図２および図９に示すように、現像フレーム１４０と、軸受部材１４１とを備えている。
【０１６３】
現像フレーム１４０は、左右方向に延び、その左端部および右端部が閉鎖された略角筒形状を有している。なお、現像フレーム１４０の後上端部は、左右方向にわたってその内外が連通されており、現像ローラ３０の後上端部を露出している。また、現像フレーム１４０の下方部分は、トナー収容部３３として画定されている。現像フレーム１４０は、１対の現像把持部１４３を備えている。
【０１６４】
１対の現像把持部１４３は、現像フレーム１４０の左右方向両端部に配置されている。現像把持部１４３は、土台部１４４と、移動部の一例としての揺動部１４５と、付勢部材の一例としてのトーションばね１４６とを備えている。
【０１６５】
土台部１４４は、現像フレーム１４０の上面における左右方向両端部から、上方に向かって延びた後、左右方向外方に向かって延びる正面視略Ｌ字状の略角柱形状を有している。なお、図８に示すように、左方の土台部１４４の右端部と、右方の土台部１４４の左端部との間の寸法は、ドラムカートリッジ２１の突条部１２７の左右方向寸法よりもわずかに大きい。また、左方の土台部１４４の左端部と、右方の土台部１４４の右端部との間の寸法は、左方の当接部１１７の右面と、右方の当接部１１７の左面との間の寸法と略同じである。土台部１４４は、図９に示すように、受入部１４７と、軸部１４８とを備えている。
【０１６６】
受入部１４７は、土台部１４４の左右方向外端部において、後方から前方に向かって背面視略矩形状に窪んでいる。
【０１６７】
軸部１４８は、受入部１４７の前面から後方に向かって突出する略円柱形状を有している。軸部１４８の後端部は、前後方向において、土台部１４４の後端部と略同じ位置に位置している。
【０１６８】
揺動部１４５は、一端部が閉鎖された長手の略角筒形状を有している。揺動部１４５は、貫通穴１４９を備えている。
【０１６９】
貫通穴１４９は、揺動部１４５の他端部を背面視略円形状に貫通している。
【０１７０】
そして、貫通穴１４９が軸部１４８を受け入れることにより、揺動部１４５は、軸部１４８を支点として、左右方向外方に延び、先端が現像フレーム１４０から相対的に離かられるように突出する図９に実線で示す突出位置と、軸部１４８を支点として、下方に延び、先端と現像フレーム１４０との距離が突出位置よりも小さくなり、現像フレーム１４０に相対的に近接するように上下方向に沿う図９に仮想線で示す収容位置との間を回動可能に組み付けられている。
【０１７１】
なお、図１８に示すように、揺動部１４５が突出位置に位置するときに、左方の揺動部１４５の左端部と、右方の揺動部１４５の右端部との間の寸法は、プロセスフレーム５２の左右方向寸法よりも大きい。
【０１７２】
また、揺動部１４５は、突出位置に位置するときに、プロセス左側壁５３、および、プロセス右側壁５４の上方に配置され、上方から見て、プロセス左側壁５３、および、プロセス右側壁５４と重なっている。
【０１７３】
トーションばね１４６は、図９に示すように、前後方向に沿って、線材が螺旋状に巻回されるコイル形状を有している。そして、揺動部１４５内において、トーションばね１４６に軸部１４８が挿通されることにより、トーションばね１４６の線材の一端部が受入部１４７の上面に対して下方から当接し、トーションばね１４６の他端部が揺動部１４５の内面に対して下方から当接している。これにより、トーションばね１４６は、揺動部１４５を収容位置から突出位置に向かって付勢している。
【０１７４】
軸受部材１４１は、図２および図９に示すように、現像フレーム１４０の右方に配置されている。軸受部材１４１は、上下前後方向に延びる略厚板状を有している。軸受部材１４１は、第１現像係合部１５１と、第２現像係合部１５２とを備えている。
【０１７５】
第１現像係合部１５１は、軸受部材１４１の前下端部から、右方に向かって突出している。第１現像係合部１５１は、側面視略Ｕ字状の略板状を有している。また、第１現像係合部１５１の上面は、右方に向かうにつれて、下方に傾斜している。
【０１７６】
第２現像係合部１５２は、軸受部材１４１の後下端部から、右方に向かって突出する略角柱形状を有している。第２現像係合部１５２の上面は、右方に向かうにつれて、下方に傾斜している。
【０１７７】
なお、現像フレーム１４０は、その左方に、現像カートリッジ２２の平面視略中央部分を対称線として、左右対称となる第１現像係合部１５１と、図示しないが、第２現像係合部１５２を備えている。
【０１７８】
つまり、現像カートリッジ２２は、第１現像係合部１５１と、第２現像係合部１５２とは、それぞれ１対ずつ備えている。
（２）現像カートリッジのプロセスフレームに対する装着状態
４つの現像カートリッジ２２のそれぞれは、図２および図３に示すように、プロセスフレーム５２の対応する現像カートリッジ収容部１０１に収容されるときには、１対の第１現像係合部１５１が１対の第１現像係合溝６８に対して上方から嵌まり、１対の第２現像係合部１５２が１対の第２現像係合溝６９に対して上方から嵌まっている。
【０１７９】
これにより、現像カートリッジ２２は、左方の膨出部６２、および、右方の膨出部６２に支持され、現像カートリッジ収容部１０１に収容されている。
【０１８０】
なお、現像カートリッジ２２、および、ドラムカートリッジ２１の両方がプロセスフレーム５２に装着されている状態において、図１７Ａに示すように、現像カートリッジ２２は、ドラムカートリッジ２１の下方に配置されており、現像カートリッジ２２の現像把持部１４３の揺動部１４５に対して、ドラムカートリッジ２１の当接部１１７が当接している。
【０１８１】
これにより、１対の現像把持部１４３において、揺動部１４５は、トーションばね１４６の付勢力に抗して、収容位置に位置されている。
５．ベルトユニットの詳細
ベルトユニット３７は、図１０および図１１に示すように、ベルトフレーム１５５と、４対のブラケット１６６をと備えている。
【０１８２】
ベルトフレーム１５５は、ベルト左側壁１５６と、ベルト右側壁１５７と、ベルトフレーム本体１５８とを一体として備えている。
【０１８３】
ベルト左側壁１５６、および、ベルト右側壁１５７は、左右方向に間隔を空けて配置されている。ベルト左側壁１５６、および、ベルト右側壁１５７は、前後方向に延びる側面視略矩形の略板状を有している。ベルト左側壁１５６、および、ベルト右側壁１５７は、それぞれ、４つの位置決め部の一例としての位置決め突出部１６０を備えている。
【０１８４】
４つの位置決め突出部１６０は、前後方向に互いに間隔を空けて並列配置されている。位置決め突出部１６０は、ベルト左側壁１５６、および、ベルト右側壁１５７の下面から、下方に向かって突出する断面略矩形の凸形状を有している。言い換えると、位置決め突出部１６０は、ベルトフレーム１５５において、４対配置されている。また、４対の位置決め突出部１６０は、ドラムカートリッジ２１が装着されたプロセスフレーム５２が内側位置に位置する状態において、ドラムカートリッジ２１の１対のドラム把持部１１３よりも左右方向の内方に位置している。
【０１８５】
ベルトフレーム本体１５８は、ベルト左側壁１５６と、ベルト右側壁１５７との間に架設されている。ベルトフレーム本体１５８は平面視略矩形の略板状を有している。ベルトフレーム本体１５８は、４つの転写ローラ収容部１６１と、４対のブラケット収容部１６２とを備えている。
【０１８６】
４つの転写ローラ収容部１６１は、前後方向に互いに間隔を空けて並列配置されている。転写ローラ収容部１６１は、下方が開放された略半円筒形状を有している。
【０１８７】
４対のブラケット収容部１６２は、それぞれ、対応する転写ローラ収容部１６１の左右方向両端部に配置されている。ブラケット収容部１６２は、ベルトフレーム本体１５８の下面から上方に向かって、平面視略矩形状に窪んでいる。
【０１８８】
４対のブラケット１６６は、それぞれ、対応する一次転写ローラ４２の左右方向両端部に配置されている。ブラケット１６６は、前後方向に延びる側面視略矩形の略板状を有している。ブラケット１６６の側面視略中央は、側面視略円形に貫通されている。
【０１８９】
そして、４対のブラケット１６６のそれぞれが、対応する一次転写ローラ４２の左右方向両端部を受け入れ、４対のブラケット収容部１６２のそれぞれに収容されることにより、４つの一次転写ローラ４２のそれぞれが、対応する転写ローラ収容部１６１に収容されている。
【０１９０】
これにより、４つの一次転写ローラ４２が前後方向に間隔を空けて、ベルトフレーム１５５に対して相対移動可能に並列配置されている。
【０１９１】
また、ベルトフレーム１５５の後端部に駆動ローラ３９が回転可能に支持され、ベルトフレーム１５５の前端部に従動ローラ４０が回転可能に支持されており、中間転写ベルト４１が駆動ローラ３９および従動ローラ４０の周りに架け渡されている。つまり、ベルトフレーム１５５は、中間転写ベルト４１を支持している。
６．本体ケーシングに対するプロセスユニットの装着状態
プロセスフレーム５２が内側位置における接触位置に位置した状態において、図１２および図１３に示すように、ベルトユニット３７のベルトフレーム１５５に対して、４つのドラムカートリッジ２１のそれぞれのドラムフレーム１０４が下方から当接されている。
【０１９２】
より具体的には、ベルトフレーム１５５のベルト左側壁１５６の下面、および、ベルト右側壁１５７の下面と、４つのドラムフレーム１０４のそれぞれのドラム屈折部１１４の上面とが接触し、ベルトフレーム１５５の４対の位置決め突出部１６０のそれぞれが、４つのドラムフレーム１０４のそれぞれの位置決め穴１２１に嵌まっている。つまり、位置決め穴１２１は、中間転写ベルト４１よりも左右方向の外方に位置している。
【０１９３】
こうして、ベルトフレーム１５５に対して、４つのドラムカートリッジ２１のそれぞれが位置決めされ、４つのドラムカートリッジ２１のそれぞれの感光ドラム２６は、対応する一次転写ローラ４２に対して、中間転写ベルト４１を挟んで向かい合い、中間転写ベルト４１に対して接触している。
【０１９４】
なお、プロセスフレーム５２が内側位置における接触位置に位置した状態では、イエロードラムカートリッジ２１Ｙ、マゼンタドラムカートリッジ２１Ｍ、および、シアンドラムカートリッジ２１Ｃのそれぞれのドラム把持部１１３は、左右方向から見て、中間転写ベルト４１と重なっている。また、ブラックドラムカートリッジ２１Ｋにおいては、左ブラックドラム把持部１３４、および、右ブラックドラム把持部１３５が左右方向から見て、ベルトユニット３７と重なっている。
７．ドラムカートリッジ、および、現像カートリッジの着脱動作
（１）ドラムカートリッジ、および、現像カートリッジの離脱動作
本体ケーシング２から、ドラムカートリッジ２１、および、現像カートリッジ２２を離脱させるには、まず、本体ケーシング２からプロセスフレーム５２を引き出し、内側位置から外側位置に移動させる。
【０１９５】
プロセスフレーム５２を内側位置から外側位置に移動させるには、まず、図１４に示すように、フロントカバー７を揺動させ、閉鎖位置から開放位置に移動させる。
【０１９６】
そうすると、フロントカバー７の揺動に連動し、図示しない連動機構により、プロセスフレーム５２が内側位置における接触位置から、下方に移動し、中間転写ベルト４１から４つのドラムカートリッジ２１のそれぞれの感光ドラム２６が離間される離間位置へと移動する。また、このとき、ベルトユニット３７の４対の位置決め突出部１６０と、４つのドラムカートリッジ２１の位置決め穴１２１との係合が解除される。
【０１９７】
次いで、図１５に示すように、ユーザがプロセス把持部７５を把持し、プロセスフレーム５２を前方に引き出すようにしてスライド移動させる。
【０１９８】
これにより、プロセスフレーム５２は、本体開口部６を介して、本体ケーシング２の外側に引き出され、外側位置に位置される。
【０１９９】
次いで、プロセスフレーム５２から、ドラムカートリッジ２１を離脱させる。プロセスフレーム５２から、ドラムカートリッジ２１を離脱させるには、図１９に示すように、ユーザは、ドラム把持部１１３を把持して、ドラムカートリッジ２１を上方に引き上げる。なお、図１９においては、４つのドラムカートリッジ２１の内、イエロードラムカートリッジ２１Ｙを離脱させている。
【０２００】
そうすると、図１６Ａおよび図１６Ｂに示すように、ドラムフレーム１０４の延設部１３２と、付勢部８７のころ９３との当接が解除され、ころ９３は、圧縮ばね９２の付勢力によって、上方へと付勢される。
【０２０１】
これにより、第２ガイド軸９７が第１ガイド溝９０の下端部から上端部まで移動され、第１ガイド軸９６が第２ガイド溝９１の前後方向略中央から前上端部まで移動し、カバー部８８がＬＥＤアレイ８２を露出させる露出位置から、ＬＥＤアレイ８２を被覆する被覆位置に移動する。
【０２０２】
また、図１７Ａおよび図１７Ｂに示すように、ドラムカートリッジ２１が対応する現像カートリッジ２２に対して上方に移動することにより、ドラムフレーム１０４の当接部１１７の、現像フレーム１４０の現像把持部１４３の揺動部１４５に対する当接が解除され、揺動部１４５は、トーションばね１４６の付勢力により、収容位置から突出位置に移動する。
【０２０３】
そして、プロセスフレーム５２から離脱されたイエロードラムカートリッジ２１Ｙは、図１９および図２０に示すように、マゼンタドラムカートリッジ２１Ｍに対して、重ねられるように載置されている。具体的には、イエロードラムカートリッジ２１Ｙのドラムフレーム１０４の載置部１１５の受入溝１２２が、マゼンタドラムカートリッジ２１Ｍのドラム把持部１１３の上端部と係合するようにして、マゼンタドラムカートリッジ２１Ｍに対して、イエロードラムカートリッジ２１Ｙが積み重ねられている。
【０２０４】
なお、図１９に示すように、ブラックドラムカートリッジ２１Ｋにおいて、左ブラックドラム把持部１３４が平板部１３６を備えていることにより、受入溝１２２と係合不能となっている。また、右ブラックドラム把持部１３５は、受入溝１２２と係合可能であるが、左ブラックドラム把持部１３４の上端部と、右ブラックドラム把持部１３５の上端部とは、上下方向寸法が異なることにより、ブラックドラムカートリッジ２１Ｋに対して、イエロードラムカートリッジ２１Ｙ、マゼンタドラムカートリッジ２１Ｍ、および、シアンドラムカートリッジ２１Ｃを積み重ねたときには、傾斜し、バランスが悪くなるので、実質的に積重ねることができないように構成されている。
【０２０５】
そして、対応するイエロードラムカートリッジ２１Ｙが離脱されたイエロー現像カートリッジ２２Ｙは、図１８に示すように、ユーザが左右の揺動部１４５を把持することにより、上方に引き抜かれる。
【０２０６】
以上により、本体ケーシング２からのドラムカートリッジ２１、および、現像カートリッジ２２の離脱動作が完了する。
（２）ドラムカートリッジ、および、現像カートリッジの装着動作
本体ケーシング２に対して、ドラムカートリッジ２１、および、現像カートリッジ２２を装着するには、まず、現像カートリッジ２２をプロセスフレーム５２に対して装着する。
【０２０７】
現像カートリッジ２２をプロセスフレーム５２に装着するには、図２に示すように、現像カートリッジ２２を、対応するドラムカートリッジ２１がプロセスフレーム５２から離脱された状態で、対応する現像カートリッジ収容部１０１に対して上方から装着する。具体的には、現像カートリッジ２２は、１対の第１現像係合部１５１が１対の第１現像係合溝６８によって上方から下方にガイドされ、１対の第２現像係合部１５２が１対の第２現像係合溝６９によって上方から下方にガイドされるようにして、対応する現像カートリッジ収容部１０１に装着される。
【０２０８】
次いで、ドラムカートリッジ２１を、対応する現像カートリッジ２２がプロセスフレーム５２に装着された状態で、対応するドラムカートリッジ収容部１００に対して上方から装着する。具体的には、ドラムカートリッジ２１は、左方においては、第１ドラム係合部１１６が第１ドラム係合溝７０によって上方から下方にガイドされ、第２ドラム係合部１１８が第２ドラム係合溝７１によって上方から下方にガイドされる。また、右方においては、第１ドラム係合部１１６が第１ドラム係合溝７０に対して上方から下方にガイドされるようにして、ドラムカートリッジ２１は、対応するドラムカートリッジ収容部１００に装着される。
【０２０９】
これにより、図１７Ｂに示すように、現像カートリッジ２２の揺動部１４５に対して、ドラムカートリッジ２１の当接部１１７が上方から当接され、現像カートリッジ２２の揺動部１４５は、図１７Ａに示すように、トーションばね１４６の付勢力に抗して、突出位置から収容位置に移動する。
【０２１０】
そして、図１２および図１５に示すように、プロセスフレーム５２を上記した逆の手順により、外側位置から内側位置における接触位置に移動させる。
【０２１１】
以上により、ドラムカートリッジ２１、および、現像カートリッジ２２の本体ケーシング２への装着動作が完了する。
８．作用効果
（１）このプリンタ１によれば、図１に示すように、４つの感光ドラム２６が前後方向に沿って並列配置されるように、プロセスフレーム５２に支持されている。
【０２１２】
そして、図１３に示すように、プロセスフレーム５２が内側位置の接触位置に位置するときに、中間転写ベルト４１を支持するベルトフレーム１５５の位置決め突出部１６０に対して、感光ドラム２６を支持する４つのドラムフレーム１０４のそれぞれの位置決め穴１２１を係合することで、ベルトフレーム１５５に対して４つのドラムフレーム１０４を位置決めすることができる。
【０２１３】
その結果、中間転写ベルト４１に対して、４つの感光ドラム２６を精度良く位置決めすることができる。
【０２１４】
また、本体ケーシング２に対して内側位置と外側位置との間を移動可能なプロセスフレーム５２に支持されるドラムフレーム１０４が凹形状を有する位置決め穴１２１を備えていることにより、位置決め穴１２１の損傷を抑制することができ、位置決め穴１２１と係合するベルトフレーム１５５の位置決め突出部１６０を保護することができる。
（２）また、このプリンタ１によれば、図１３に示すように、凸形状と凹形状を係合させるという簡易な構成により、位置決め穴１２１と位置決め突出部１６０とを係合することができる。
（３）また、このプリンタ１によれば、図２に示すように、位置決め穴１２１が凹形状を有していることにより、ドラムフレーム１０４を支持するプロセスフレーム５２が外側位置に位置するときに、位置決め穴１２１と外部の部材とが干渉することを抑制することができる。
【０２１５】
また、図１１および図１３に示すように、凸形状を有する位置決め突出部１６０が本体ケーシング２内に収容されるベルトユニット３７のベルトフレーム１５５に設けられていることにより、位置決め突出部１６０と外部の部材とが干渉することを抑制することができる。
（４）また、このプリンタ１によれば、図１１および図１３に示すように、位置決め突出部１６０と位置決め穴１２１とが断面略矩形状であることにより、位置決め突出部１６０の周面と、位置決め穴１２１の内面とを確実に接触させることができる。
【０２１６】
そのため、ベルトフレーム１５５に対して、４つのドラムフレーム１０４を確実に位置決めすることができる。
（５）また、このプリンタ１によれば、図１１および図１９に示すように、中間転写ベルト４１よりも左右方向の外方において、中間転写ベルト４１の駆動を阻害することなく、ベルトフレーム１５５の位置決め突出部１６０に対して４つのドラムフレーム１０４のそれぞれの位置決め穴１２１を係合して、ベルトフレーム１５５に対して４つのドラムフレーム１０４を位置決めすることができる。
（６）また、このプリンタ１によれば、図１３に示すように、４つのドラムカートリッジ２１をベルトフレーム１５５に対して位置決めすることができるので、ドラムカートリッジ２１がプロセスフレーム５２に対して着脱可能でありながら、中間転写ベルト４１に対して、４つの感光ドラム２６を精度良く位置決めすることができる。
（７）また、このプリンタ１によれば、図２および図７Ａに示すように、ドラム把持部１１３によって、位置決め穴１２１を保護することができる。
【０２１７】
その結果、図１３に示すように、位置決め穴１２１と位置決め突出部１６０とを精度良く係合することができる。
（８）また、このプリンタ１によれば、図１２および図１４に示すように、ドラムカートリッジ２１は、ドラム把持部１１３を備えながら、本体ケーシング２内においては、側面視において中間転写ベルト４１と重なるように位置されるので、本体ケーシング２が大型化することを抑制することができる。
（９）また、このプリンタ１によれば、図１３に示すように、ドラムフレーム１０４の位置決め穴１２１を、ベルトフレーム１５５の位置決め突出部１６０に対して、下方から係合させ、感光ドラム２６を中間転写ベルト４１に対して下方から接触させることができる。
（１０）また、このプリンタ１によれば、図１に示すように、ＬＥＤユニット２３によって、対応する感光ドラム２６を露光することができる。
【０２１８】
そのため、ひとつのＬＥＤユニット２３によって複数の感光ドラム２６を露光する場合と比較して、精度よく感光ドラム２６の表面を露光することができる。
（１１）また、このプリンタ１によれば、図１０および図１１に示すように、ベルトフレーム１５５に対して、相対移動するように構成される４つの一次転写ローラ４２を備えており、感光ドラム２６が、一次転写ローラ４２に対してではなく、中間転写ベルト４１に対して位置決めされている。
【０２１９】
そのため、一次転写ローラ４２をベルトフレーム１５５に対して相対移動するように支持しながら、画像形成を実行することができる。
（１２）また、このプリンタ１によれば、図８に示すように、４つの感光ドラム２６間のピッチを小さくすることができるので、プリンタ１の小型化を図ることができる。
【０２２０】
また、４つのドラムフレーム１０４がベルトフレーム１５５に対して位置決めされるので、４つの感光ドラム２６間のピッチを一定に保持することができ、精度良く画像形成することができる。
９．第２実施形態
図２１Ａおよび図２１Ｂを参照して、プリンタ１の第２実施形態を説明する。なお、第２実施形態において、上記した第１実施形態と同様の部材には同様の符号を付し、その説明を省略する。
（１）第２実施形態のドラムカートリッジの構成
第２実施形態において、ドラムカートリッジ２１は、１対のドラム把持部１１３と、１対の当接部１１７とを備えておらず、ドラム把持部の一例としての１つのドラム片把持部１７０と、１対の押圧部１７１とを備えている。
【０２２１】
ドラム片把持部１７０は、ドラムカートリッジ２１の左端部に配置されている。ドラム片把持部１７０は、基部１７４と、第１部分１７５と、第２部分１７６とを備えている。
【０２２２】
基部１７４は、ドラム左側壁１０５のドラム側壁本体１１２の後上端部における左面から、左方に向かって突出している。
【０２２３】
第１部分１７５は、基部１７４の上面から上方に向かって延びる略角柱形状を有している。
【０２２４】
第２部分１７６は、第１部分１７５の上端部から前方に向かって延びる略角柱形状を有している。第２部分１７６は、ユーザが把持しやすいように、前後方向に沿って並列配置される複数の凹凸を備えている。なお、第２部分１７６は、位置決め穴１２１よりも左方に配置されている。
【０２２５】
押圧部１７１は、ドラム屈折部１１４の前端部から連続して、前方に向かって延びる平面視略矩形の略板状を有している。
（２）第２実施形態の現像カートリッジの構成
第２実施形態において、現像カートリッジ２２は、現像把持部１４３を備えておらず、現像把持部の一例としての１対の現像スライド把持部１７９を備えている。
【０２２６】
１対の現像スライド把持部１７９は、現像フレーム１４０の左右方向両端部に配置されている。現像スライド把持部１７９は、土台部１８０と、移動部の一例としてのスライド部１８１とを備えている。
【０２２７】
土台部１８０は、現像フレーム１４０の上面における左右方向両端部から、上方に向かって延びる略角柱形状を有している。
なお、左方の土台部１８０の右端部と、右方の土台部１８０の左端部との間の寸法は、ドラムカートリッジ２１の突条部１２７の左右方向寸法よりもわずかに大きい。土台部１８０は、スライドガイド１８３を備えている。
【０２２８】
スライドガイド１８３は、土台部１８０の後面における左右方向略中央から後方に向かって突出している。スライドガイド１８３は、土台部１８０の上下方向全域にわたって延びる略角柱形状を有している。
【０２２９】
スライド部１８１は、立設部１８５と、展開部１８６と、補強部１８７とを備えている。
【０２３０】
立設部１８５は、上下方向に沿って延びる略角柱形状を有している。立設部１８５は、ガイド溝１８８を備えている。
【０２３１】
ガイド溝１８８は、立設部１８５の前面における左右方向略中央部分から、後方に向かって窪んでいる。ガイド溝１８８は、立設部１８５の上下方向全域にわたって延びている。
【０２３２】
展開部１８６は、立設部１８５の上端部から、左右方向外方に向かって延びる略角柱形状を有している。
【０２３３】
補強部１８７は、立設部１８５の左右方向外面と、展開部１８６の下面とを連結している。補強部１８７は、その下面が左右方向外方に向かうにつれて上方に傾斜する正面視略三角形状の略板状を有している。
【０２３４】
そして、スライド部１８１は、土台部１８０のスライドガイド１８３が立設部１８５のガイド溝１８８に対して嵌まることにより、図２１Ｂに示すように、先端が現像フレーム１４０から相対的に離れるように上方に突出する突出位置と、図２１Ａに示すように、先端と現像フレーム１４０との距離が突出位置よりも小さくなり、現像フレーム１４０に相対的に近接する収容位置との間をスライド移動可能に組み付けられている。
【０２３５】
なお、スライド部１８１は、図２１Ｂに示すように、図示しない付勢部材の付勢力により、収容位置から突出位置に向かって付勢されている。
（３）ドラムカートリッジおよび現像カートリッジのプロセスフレームに対する着脱
第２実施形態において、４つのドラムカートリッジ２１、および、４つの現像カートリッジ２２のそれぞれは、図示しないが、第１実施形態と同様に、４つのドラムカートリッジ収容部１００、および、４つの現像カートリッジ収容部１０１のそれぞれに収容される。
【０２３６】
そして、ドラムカートリッジ２１、および、現像カートリッジ２２の両方がプロセスフレーム５２に装着されている状態では、図２１Ａに示すように、現像カートリッジ２２の現像スライド把持部１７９の展開部１８６の上面に対して、ドラムカートリッジ２１の押圧部１７１が当接している。
【０２３７】
これにより、１対の現像スライド把持部１７９において、スライド部１８１は、図示しない付勢部材の付勢力に抗して、収容位置に位置されている。
【０２３８】
また、ドラムカートリッジ２１を、対応する現像カートリッジ２２に対して上方に移動することにより、ドラムフレーム１０４の押圧部１７１の、現像フレーム１４０の現像スライド把持部１７９の展開部１８６に対する当接が解除され、現像スライド把持部１７９は、図示しない付勢部材の付勢力により、収容位置から突出位置に移動する。
【０２３９】
そして、対応するドラムカートリッジ２１が離脱された現像カートリッジ２２は、ユーザが左右のスライド部１８１の展開部１８６を把持することにより、上方に引き抜かれる。
【０２４０】
また、対応する現像カートリッジ２２が装着されたプロセスフレーム５２に対して、ドラムカートリッジ２１を上方から装着していくと、現像カートリッジ２２のスライド部１８１の展開部１８６に対して、ドラムカートリッジ２１の押圧部１７１が上方から当接される。
【０２４１】
これにより、現像カートリッジ２２のスライド部１８１は、図２１Ａに示すように、図示しないばね部材の付勢力に抗して、突出位置から収容位置に移動する。
【０２４２】
このようにして、ドラムカートリッジ２１、および、現像カートリッジ２２がプロセスフレーム５２に対して、着脱される。
（４）第２実施形態の作用効果
第２実施形態においても、上記した第１実施形態と同様の作用効果を得ることができる。
１０．第３実施形態
図２２を参照して、プリンタ１の第３実施形態を説明する。なお、第３実施形態において、上記した第１実施形態と同様の部材には同様の符号を付し、その説明を省略する。
（１）第３実施形態のドラムカートリッジの構成
上記した第１実施形態では、第２ドラム係合部１１８は、４つのドラムカートリッジ２１のそれぞれにおいて、同じ位置に配置されている。それに対し、第３実施形態では、４つのドラムカートリッジ２１のそれぞれによって、その前後方向における配置が互いに異なる。具体的には、ブラックドラムカートリッジ２１Ｋの第２ドラム係合部１１８をブラック第２ドラム係合部１１８Ｋ、イエロードラムカートリッジ２１Ｙの第２ドラム係合部１１８をイエロー第２ドラム係合部１１８Ｙ、マゼンタドラムカートリッジ２１Ｍの第２ドラム係合部１１８をマゼンタ第２ドラム係合部１１８Ｍ、シアンドラムカートリッジ２１Ｃの第２ドラム係合部１１８をシアン第２ドラム係合部１１８Ｃとし、それぞれについて説明する。
【０２４３】
ブラック第２ドラム係合部１１８Ｋは、ドラム左側壁１０５の載置部１１５の前後方向略中央部分よりもやや後方に配置されている。
【０２４４】
イエロー第２ドラム係合部１１８Ｙは、ドラム左側壁１０５の載置部１１５の後方部分であって、ブラック第２ドラム係合部１１８Ｋよりも後方に配置されている。
【０２４５】
マゼンタ第２ドラム係合部１１８Ｍは、ドラム左側壁１０５の載置部１１５の後端部よりもやや前方であって、イエロー第２ドラム係合部１１８Ｙよりも後方に配置されている。
【０２４６】
シアン第２ドラム係合部１１８Ｃは、ドラム左側壁１０５の載置部１１５の後端部であって、マゼンタ第２ドラム係合部１１８Ｍよりも後方に配置されている。
【０２４７】
そして、図示しないが、４つのドラムカートリッジ２１のそれぞれに対応するドラムカートリッジ収容部１００において、４つのドラムカートリッジ２１のそれぞれの第２ドラム係合部１１８に対応して、第２ドラム係合溝７１の前後方向における配置が異なっている。
【０２４８】
そのため、４つのドラムカートリッジ２１は、ドラムカートリッジ収容部１００に収容されるときには、それぞれが対応するドラムカートリッジ収容部１００にのみ収容可能であることにより、前後方向における並び順が変更不能に構成されている。
【０２４９】
また、ブラックドラムカートリッジ２１Ｋは、上記した第１実施形態では、左ブラックドラム把持部１３４、および、右ブラックドラム把持部１３５を備えているのに対し、第３実施形態では、ブラックドラムカートリッジ２１Ｋ以外の３つのドラムカートリッジ２１と同様に、ドラム把持部１１３を備えている。
（２）第３実施形態の現像カートリッジの構成
上記した第１実施形態では、第２現像係合部１５２は、４つの現像カートリッジ２２のそれぞれにおいて、同じ位置に配置されている。それに対し、第３実施形態では、４つの現像カートリッジ２２のそれぞれによって、その前後方向における配置が互いに異なる。具体的には、ブラック現像カートリッジ２２Ｋの第２現像係合部１５２をブラック第２現像係合部１５２Ｋ、イエロー現像カートリッジ２２Ｙの第２現像係合部１５２をイエロー第２現像係合部１５２Ｙ、マゼンタ現像カートリッジ２２Ｍの第２現像係合部１５２をマゼンタ第２現像係合部１５２Ｍ、シアン現像カートリッジ２２Ｃの第２現像係合部１５２をシアン第２現像係合部１５２Ｃとし、それぞれについて説明する。
【０２５０】
ブラック第２現像係合部１５２Ｋは、現像フレーム１４０、および、軸受部材１４１の前後方向略中央部分に配置されている。
【０２５１】
イエロー第２現像係合部１５２Ｙは、現像フレーム１４０、および、軸受部材１４１の前後方向略中央部分よりもやや後方であって、ブラック第２現像係合部１５２Ｋよりも後方に配置されている。
【０２５２】
マゼンタ第２現像係合部１５２Ｍは、現像フレーム１４０、および、軸受部材１４１の後端部よりもやや前方であって、イエロー第２現像係合部１５２Ｙよりも後方に配置されている。
【０２５３】
シアン第２現像係合部１５２Ｃは、現像フレーム１４０、および、軸受部材１４１の後端部であって、マゼンタ第２現像係合部１５２Ｍよりも後方に配置されている。
【０２５４】
そして、図示しないが、４つの現像カートリッジ２２のそれぞれに対応する現像カートリッジ収容部１０１において、４つの現像カートリッジ２２のそれぞれの第２現像係合部１５２に対応して、第２現像係合溝６９の前後方向における配置が異なっている。
【０２５５】
そのため、４つの現像カートリッジ２２は、現像カートリッジ収容部１０１に収容されるときには、それぞれが対応する現像カートリッジ収容部１０１にのみ収容可能であることにより、前後方向における並び順が変更不能に構成されている。
（３）第３実施形態の作用効果
第３実施形態においても、上記した第１実施形態と同様の作用効果を得ることができる。
１１．第４実施形態
図２３Ａおよび図２３Ｂを参照して、プリンタ１の第４実施形態を説明する。なお、第４実施形態において、上記した第１実施形態と同様の部材には同様の符号を付し、その説明を省略する。
【０２５６】
第４実施形態において、画像形成部４は、４つのドラムカートリッジ２１、および、４つの現像カートリッジ２２を備えておらず、複数、すなわち４つのプロセスカートリッジ２００を備えている。また、フロントカバー７は、プロセスカートリッジ収容部２１４を備えており、ベルトユニット３７は、４対の位置決め穴２１８を備えている。
【０２５７】
なお、以下の説明において、プロセスカートリッジ２００に関し、方向について言及する場合には、閉鎖位置に位置するフロントカバー７に対して、プロセスカートリッジ２００を着脱するときの姿勢を基準とする。具体的には、図中に示す方向矢印を基準とする。
（１）プロセスカートリッジ
プロセスカートリッジ２００は、ドラムカートリッジの一例としてのドラムユニット２０１と、現像カートリッジの一例としての現像剤ユニット２０２とを備えている。
【０２５８】
ドラムユニット２０１は、上記した感光ドラム２６と、上記したスコロトロン型帯電器２７とを備え、プロセスカートリッジ２００の上方部分を構成している。ドラムユニット２０１は、ドラムフレーム２０４を備えている。
【０２５９】
ドラムフレーム２０４は、左右方向に延び、その左端部および右端部が閉鎖された略角筒形状を有している。なお、ドラムフレーム２０４の上壁は、左右方向にわたってその内外が連通されており、感光ドラム２６の上端部を露出している。感光ドラム２６の上端部は、ドラムフレーム２０４の上面よりも上方に突出している。また、図示しないが、ドラムフレーム２０４の下壁は、左右方向にわたってその内外が連通されており、感光ドラム２６の下端部を露出している。ドラムフレーム２０４は、１対のドラム把持部２０５と、係合部の一例としての１対の位置決め突出部２０６とを備えている。
【０２６０】
１対のドラム把持部２０５は、ドラムフレーム２０４の左右方向両端部に配置されている。ドラム把持部２０５は、ドラムフレーム２０４の上面における左右方向両端部から、上方に向かって延びた後、左右方向外方に向かって延びる正面視略Ｌ字状の略板状を有している。
【０２６１】
１対の位置決め突出部２０６は、１対のドラム把持部２０５の左右方向内方に隣接配置されている。位置決め突出部２０６は、ドラムフレーム２０４の上面から上方に向かって突出する断面略矩形の凸形状を有している。位置決め突出部２０６の左右方向外端部は、ドラム把持部２０５の左右方向内面と連続している。
【０２６２】
現像剤ユニット２０２は、上記した現像ローラ３０と、上記した供給ローラ３１と、上記した層厚規制ブレード３２と、上記したトナー収容部３３とを備え、プロセスカートリッジ２００の下方部分を構成している。現像剤ユニット２０２は、現像フレーム２０９を備えている。
【０２６３】
現像フレーム２０９は、左右方向に延び、その左端部および右端部が閉鎖された略角筒形状を有している。なお、図示しないが、現像フレーム２０９の上壁は左右方向にわたってその内外が連通されており、現像ローラ３０の上端部を露出している。現像ローラ３０は、感光ドラム２６の下端部と接触している。
【０２６４】
現像フレーム２０９は、１対の第１係合部２１０と、１対の第２係合部２１１とを備えている。
【０２６５】
１対の第１係合部２１０は、現像フレーム２０９の左右両側壁の前下端部における左右方向外面から左右方向外方に向かって突出する略円柱形状を有している。
【０２６６】
１対の第２係合部２１１は、現像フレーム２０９の左右両側壁の後下端部における左右方向外面から左右方向外方に向かって突出する略円柱形状を有している。
（２）フロントカバー
フロントカバー７は、上記したように、その下端部を支点として、本体開口部６を閉鎖するように上下方向に沿う閉鎖位置と、本体開口部６を開放するように前後方向に沿う開放位置との間を揺動可能である。フロントカバー７は、閉鎖位置に位置した状態で、平面視略矩形の有底枠板形状を有している。
【０２６７】
プロセスカートリッジ収容部２１４は、開放位置に位置するフロントカバー７の上面から下方に向かって、平面視略矩形に窪んでいる。プロセスカートリッジ収容部２１４は、４つのプロセスカートリッジ２００が前後方向に並列するように収容可能に構成されている。なお、プロセスカートリッジ収容部２１４は、図示しないが、４つのプロセスカートリッジ２００のそれぞれの１対の第１係合部２１０、および、１対の第２係合部２１１と係合可能な係合な係合穴を備えている。
（３）ベルトユニット
ベルトユニット３７は、第１実施形態とはその位置、および、向きが異なり、本体ケーシング２の後方部分において、上下方向に沿って配置されている。ベルトユニット３７は、図示しないが、下方に配置される駆動ローラ３９と、上方に配置される従動ローラ４０とを備えている。そして、駆動ローラ３９および従動ローラ４０の周りには中間転写ベルト４１が架け渡されている。また、図示しないが、４つの一次転写ローラ４２が、駆動ローラ３９と従動ローラ４０との間において、上下方向に互いに間隔を空けて並列配置されている。
【０２６８】
ベルトユニット３７のベルトフレーム１５５は、４対の位置決め突出部１６０を備えておらず、位置決め部の一例としての４対の位置決め穴２１８を備えている。
【０２６９】
４対の位置決め穴２１８は、ベルトフレーム１５５の左右方向両端部において、上下方向に間隔を空けて配置されている。位置決め穴２１８は、ベルトフレーム１５５の前面から後方に向かって正面視略矩形状に窪む凹形状を有している。
（４）本体ケーシングに対するプロセスカートリッジの着脱
プロセスカートリッジ２００は、開放位置に位置するフロントカバー７において、ユーザが１対のドラム把持部２０５を把持して、プロセスカートリッジ収容部２１４に対して上方から挿入することにより、プロセスカートリッジ収容部２１４に対して装着される。
【０２７０】
そして、４つのプロセスカートリッジ２００が装着されたフロントカバー７を開放位置から閉鎖位置に移動させることにより、４つのプロセスカートリッジ２００のそれぞれの１対の位置決め突出部２０６が、ベルトフレーム１５５の４対の位置決め穴２１８のそれぞれに対して挿入される。
【０２７１】
これにより、４つのプロセスカートリッジ２００は、そのそれぞれの感光ドラム２６が対応する図示しない一次転写ローラ４２に対して、中間転写ベルト４１を挟んで向かい合うようにして、本体ケーシング２内において上下方向に並列配置される。
【０２７２】
以上により、プロセスカートリッジ２００の本体ケーシング２に対する装着動作が完了する。
【０２７３】
また、プロセスカートリッジ２００を本体ケーシング２から離脱させるには、フロントカバー７を上記した逆の手順により、閉鎖位置から開放位置に移動させる。
【０２７４】
そして、１対のドラム把持部２０５を把持して、プロセスカートリッジ収容部２１４から、プロセスカートリッジ２００を離脱させる。
【０２７５】
以上により、プロセスカートリッジ２００の本体ケーシング２からの離脱動作が完了する。
（５）第４実施形態の作用効果
第４実施形態のプリンタ１によれば、図２３Ａおよび図２３Ｂに示すように、中間転写ベルト４１を支持するベルトフレーム１５５の位置決め穴２１８に対して、感光ドラム２６を支持する４つのプロセスカートリッジ２００のそれぞれの１対の位置決め突出部２０６を係合することで、ベルトフレーム１５５に対して、４つのプロセスカートリッジ２００を位置決めすることができる。
【０２７６】
その結果、中間転写ベルト４１に対して、４つの感光ドラム２６を精度良く位置決めすることができる。
【０２７７】
また、第４実施形態においても、上記した第１実施形態と同様の作用効果を得ることができる。
１２．変形例
上記したプリンタ１は、本発明の画像形成装置の一実施形態であり、本発明は、上記した実施形態に限定されない。
【０２７８】
上記した実施形態では、シアンドラムカートリッジ２１Ｃを第１ドラムカートリッジの一例とし、マゼンタドラムカートリッジ２１Ｍを第２ドラムカートリッジの一例とし、イエロードラムカートリッジ２１Ｙを第３ドラムカートリッジの一例として構成している。
【０２７９】
それに対して、４つのドラムカートリッジ２１の内、マゼンタドラムカートリッジ２１Ｍを第１ドラムカートリッジの一例とし、イエロードラムカートリッジ２１Ｙを第２ドラムカートリッジの一例とし、ブラックドラムカートリッジ２１Ｋを第３ドラムカートリッジの一例とすることもできる。
【０２８０】
このような場合には、マゼンタドラムカートリッジ２１Ｍのマゼンタドラム凸部１２８Ｍが第１係合部の一例であり、マゼンタドラム凸部１２８Ｍと係合するイエロードラム凹部１３０Ｙが第１被係合部の一例である。また、イエロードラム凸部１２８Ｙが第２係合部の一例であり、イエロードラム凸部１２８Ｙと係合するブラックドラム凹部１３０Ｋが第２係合部の一例である。
【０２８１】
また、上記した第１実施形態では、４つのドラムカートリッジ２１のそれぞれのドラム凸部１２８の左右方向における配置が異なり、それに対応して、プロセスフレーム５２のプロセス凹部７６、および、ブラックドラムカートリッジ２１Ｋ以外の３つのドラムカートリッジ２１のそれぞれのドラム凹部１３０が配置されることにより、４つのドラムカートリッジ２１の並び順を変更不能に構成されている。
【０２８２】
それに対して、４つのドラムカートリッジ２１のそれぞれのドラム凸部１２８の個数、形状、および、サイズの少なくともいずれか１つが異なり、それに対応するように、プロセスフレーム５２のプロセス凹部７６、および、ブラックドラムカートリッジ２１Ｋ以外の３つのドラムカートリッジ２１のそれぞれのドラム凹部１３０を構成することにより、４つのドラムカートリッジ２１の並び順を変更不能に構成することもできる。
【０２８３】
また、上記した第３実施形態では、４つのドラムカートリッジ２１のそれぞれの第２ドラム係合部１１８は、前後方向における配置が異なり、それに対応して、４つのドラムカートリッジ収容部１００のそれぞれの第２ドラム係合溝７１が配置されることにより、４つのドラムカートリッジ２１の並び順が変更不能に構成されている。
【０２８４】
それに対して、４つのドラムカートリッジ２１のそれぞれの第２ドラム係合部１１８の個数、形状、および、サイズの少なくともいずれか１つが異なり、それに対応するように、４つのドラムカートリッジ収容部１００のそれぞれの第２ドラム係合溝７１を構成することにより、４つのドラムカートリッジ２１の並び順を変更不能に構成することもできる。
【０２８５】
また、上記した第３実施形態では、４つの現像カートリッジ２２のそれぞれの第２現像係合部１５２は、前後方向における配置が異なり、それに対応して、４つの現像カートリッジ収容部１０１のそれぞれの第２現像係合溝６９が配置されることにより、４つの現像カートリッジ２２の並び順が変更不能に構成されている。
【０２８６】
それに対して、４つの現像カートリッジ２２のそれぞれの第２現像係合部１５２の個数、形状、および、サイズの少なくともいずれか１つが異なり、それに対応するように、４つの現像カートリッジ収容部１０１のそれぞれの第２現像係合溝６９を構成することにより、４つの現像カートリッジ２２の並び順を変更不能に構成することもできる。
【符号の説明】
【０２８７】
１        プリンタ
２        本体ケーシング
２１      ドラムカートリッジ
２１Ｋ    ブラックドラムカートリッジ
２１Ｙ    イエロードラムカートリッジ
２１Ｍ    マゼンタドラムカートリッジ
２１Ｃ    シアンドラムカートリッジ
２２      現像カートリッジ
２３      ＬＥＤユニット
２６      感光ドラム
３７      ベルトユニット
４１      中間転写ベルト
４２      一次転写ローラ
５２      プロセスフレーム
５３      プロセス左側壁
５４      プロセス右側壁
６８      第１現像係合溝
６９      第２現像係合溝
７０      第１ドラム係合溝
７１      第２ドラム係合溝
７６      プロセス凹部
８８      カバー部
１００    ドラムカートリッジ収容部
１０４    ドラムフレーム
１１３    ドラム把持部
１１５    載置部
１１７    当接部
１２１    位置決め穴
１２５    把持突出部
１２６    把持連結部
１２８    ドラム凸部
１２８Ｋ  ブラックドラム凸部
１２８Ｙ  イエロードラム凸部
１２８Ｍ  マゼンタドラム凸部
１２８Ｃ  シアンドラム凸部
１３０    ドラム凹部
１３０Ｋ  ブラックドラム凹部
１３０Ｙ  イエロードラム凹部
１３０Ｍ  マゼンタドラム凹部
１４０    現像フレーム
１４３    現像把持部
１４５    揺動部
１４６    トーションばね
１５５    ベルトフレーム
１６０    位置決め突出部
１７０    ドラム片把持部
１７５    第１部分
１７６    第２部分
１７９    現像スライド把持部
１８１    スライド部
２０１    ドラムユニット
２０２    現像剤ユニット
２０４    ドラムフレーム
２０５    ドラム把持部
２０６    位置決め突出部
２１８    位置決め穴
Ａ        軸線
【図１】
0006349993.tif 000002
【図２】
0006349993.tif 000003
【図３】
0006349993.tif 000004
【図４】
0006349993.tif 000005
【図５】
0006349993.tif 000006
【図６】
0006349993.tif 000007
【図７】
0006349993.tif 000008
【図８】
0006349993.tif 000009
【図９】
0006349993.tif 000010
【図１０】
0006349993.tif 000011
【図１１】
0006349993.tif 000012
【図１２】
0006349993.tif 000013
【図１３】
0006349993.tif 000014
【図１４】
0006349993.tif 000015
【図１５】
0006349993.tif 000016
【図１６】
0006349993.tif 000017
【図１７】
0006349993.tif 000018
【図１８】
0006349993.tif 000019
【図１９】
0006349993.tif 000020
【図２０】
0006349993.tif 000021
【図２１】
0006349993.tif 000022
【図２２】
0006349993.tif 000023
【図２３】
0006349993.tif 000024